(57)【特許請求の範囲】
【請求項１】
ＵＥ（user equipment）がページング信号をモニタリングする方法であって、
ＷＵＳ（wake up signal）を受信するステップと、
前記ＷＵＳが受信されたことに基づいて、前記ＷＵＳに関連するＰＯ（paging occasion）をモニタリングするステップと、
前記ＷＵＳが受信されたことに基づいて、前記ＰＯ内の前記ページング信号を受信するステップと、を含み、
前記ＷＵＳは、最大長１３２のシーケンスに基づいて生成され、
前記ＷＵＳを受信するステップは、ＷＵＳが、ＮＲＳ（narrowband reference signal）が送信される少なくとも一つのＲＥ（resource element）内で送信されないことを決定するステップを含む、方法。
【請求項２】
前記ページング信号は、前記ＷＵＳの同じ第１搬送波に存在する、請求項１に記載の方法。
【請求項３】
前記ＷＵＳは、複数のサブフレームを含む区間内で受信される、請求項１に記載の方法。
【請求項４】
上位層シグナルによって、複数のサブフレームを含む区間に関する情報を受信するステップをさらに含む、請求項１に記載の方法。
【請求項５】
前記ＷＵＳは、複数のＰＯによってマッピングされる、請求項１に記載の方法。
【請求項６】
前記ＷＵＳは、前記ＰＯに関する時間情報を含む、請求項１に記載の方法。
【請求項７】
前記ＷＵＳは、前記ＰＯに関する時間情報に基づいて生成される、請求項１に記載の方法。
【請求項８】
前記ＷＵＳは、少なくとも１つのスロットを含む開始サブフレームで初期化されるシーケンスに基づいて生成される、請求項１に記載の方法。
【請求項９】
前記複数のサブフレームを含む前記区間に関する情報を受信するステップをさらに含み、
前記区間に関する前記情報は、搬送波毎に受信される、請求項３に記載の方法。
【請求項１０】
区間は、ＰＯ及びオフセットに基づいて決定される、請求項１に記載の方法。
【請求項１１】
ＰＯ及びオフセットに基づいて、前記ＷＵＳの開始位置を決定するステップをさらに含む、請求項１に記載の方法。
【請求項１２】
前記オフセットは、上位層シグナルによって受信される、請求項１１に記載の方法。
【請求項１３】
最大長１３２の前記シーケンスは、（ｉ）前記ＵＥが属するグループ識別子と、（ｉｉ）セル識別子と、を含む、請求項１に記載の方法。
【請求項１４】
ページング信号をモニタリングするＵＥ（user equipment）であって、
トランシーバと、
前記トランシーバを、
ＷＵＳ（wake up signal）を受信し、
前記ＷＵＳが受信されたことに基づいて、前記ＷＵＳに関連するＰＯ（paging occasion）をモニタリングし、
前記ＷＵＳが受信されたことに基づいて、前記ＰＯ内の前記ページング信号を受信するように制御するプロセッサと、を有し、
前記ＷＵＳは、最大長１３２のシーケンスに基づいて生成され、
前記ＷＵＳを受信することは、ＷＵＳが、ＮＲＳ（narrowband reference signal）が送信される少なくとも一つのＲＥ（resource element）内で送信されないことを決定することを含む、ＵＥ。
【請求項１５】
前記ページング信号は、前記ＷＵＳの同じ第１搬送波に存在する、請求項１４に記載のＵＥ。
【請求項１６】
前記ＷＵＳは、複数のサブフレームを含む区間内で受信される、請求項１４に記載のＵＥ。
【請求項１７】
前記ＷＵＳは、複数のＰＯによってマッピングされる、請求項１４に記載のＵＥ。
【請求項１８】
前記ＷＵＳは、前記ＰＯに関する時間情報を含む、請求項１４に記載のＵＥ。
【請求項１９】
前記ＷＵＳは、前記ＰＯに関する時間情報に基づいて生成される、請求項１４に記載のＵＥ。
【請求項２０】
前記ＷＵＳは、少なくとも１つのスロットを含む開始サブフレームで初期化されるシーケンスに基づいて生成される、請求項１４に記載のＵＥ。
【発明の詳細な説明】
【技術分野】
【０００１】
本発明は、移動通信に関する。
【背景技術】
【０００２】
基地局がＲＲＣ（ｒａｄｉｏ  ｒｅｓｏｕｒｃｅ  ｃｏｎｔｒｏｌ）アイドル（ｉｄｌｅ）状態にある端末に伝達するダウンリンクデータがある場合、前記基地局は、端末をＲＲＣ接続（ｃｏｎｎｅｃｔｅｄ）モードに転換させるためにページングメッセージを送信する。
【０００３】
前記端末がページングメッセージを受信するためには、ダウンリンク制御チャネル、例えば、ＰＤＣＣＨ（Ｐｈｙｓｉｃａｌ  ｄｏｗｎｌｉｎｋ  ｃｏｎｔｒｏｌ  ｃｈａｎｎｅｌ）をモニタリングしなければならない。しかし、前記モニタリングの周期が短い場合、前記端末がブラインドデコーディング（ｂｌｉｎｄ  ｄｅｃｏｄｉｎｇ：ＢＤ）を実行する周期が短くなるようになって電力消費が増加する問題点がある。
【０００４】
一方、最近、ＩｏＴ（Ｉｎｔｅｒｎｅｔ  ｏｆ  Ｔｈｉｎｇｓ）通信のために基地局のセルカバレッジを拡張または増大することを考慮しており、セルカバレッジ拡張または増大のための多様な技法が論議されている。前記セルカバレッジの拡張または増大のために、ダウンリンクチャネルまたはアップリンクチャネルが多数のサブフレーム上で繰り返し送信されることができる。
【０００５】
しかし、前記繰り返し送信が実行される場合、端末の電力消費が増加される問題点がある。
【発明の概要】
【発明が解決しようとする課題】
【０００６】
したがって、本明細書の開示は、前述した問題点を解決することを目的とする。
【課題を解決するための手段】
【０００７】
前述した目的を達成するために、本明細書の一開示は、無線機器がページングメッセージを受信する方法を提示する。前記方法は、ウェイクアップ信号（ｗａｋｅ  ｕｐ  ｓｉｇｎａｌ：ＷＵＳ）の受信を試みるＷＵＳＯ（ｗａｋｅ  ｕｐ  ｓｉｇｎａｌ  ｏｃｃａｓｉｏｎ）ウィンドウを決定するステップと、前記決定されたＷＵＳＯウィンドウ内で前記ＷＵＳが受信される場合、前記ページングメッセージの受信を試みるために、ページングウィンドウの間にダウンリンク制御チャネルをモニタリングするステップと、を含む。ここで、前記ＷＵＳＯウィンドウは、区間の大きさとオフセットにより決定される。
【０００８】
前記ＷＵＳにより複数のページングウィンドウ及び／またはＰＯ（ｐａｇｉｎｇ  ｏｃｃａｓｉｏｎ）が指示される。前記ＰＯは、前記ページングウィンドウ内で前記ページングメッセージの送信が始まるサブフレームを指示する。
【０００９】
前記決定されたＷＵＳＯウィンドウ内で前記ＷＵＳが存在する時間の区間をＷＵＳＯと定義する。
【００１０】
前記オフセットは、前記ＰＯから前記ＷＵＳＯウィンドウの開始地点または終了地点までの差を指示する。
【００１１】
前記ＷＵＳＯが存在するサブフレームが有効でないサブフレームである場合、前記ＷＵＳＯは、後続する有効なサブフレームに延期（ｐｏｓｔｐｏｎｅ）される。
【００１２】
前記ＷＵＳＯウィンドウが存在する周波数リソース領域は、前記ＰＯが存在する周波数リソース領域と同じである。
【００１３】
前記ＷＵＳＯが他のダウンリンク制御チャネルの検索空間（ｓｅａｒｃｈ  ｓｐａｃｅ）と時間リソース上で一部または全部重なる場合、または前記ＷＵＳＯが他のチャネルと時間リソース上で一部または全部重なる場合、前記ＷＵＳＯでのＷＵＳ送信可否にかかわらず前記ＷＵＳの受信の試みは放棄される。このように、前記ＷＵＳの受信の試みが放棄される場合には、前記ＷＵＳＯに対応するＰＯの間に前記ページングメッセージの受信がモニタリングされる。
【００１４】
前記ＷＵＳは、前記ページングメッセージを受信すべき無線機器の識別子または無線機器のグループ識別子を含む。
【００１５】
前記ページングウィンドウは、前記ＷＵＳＯウィンドウの開始点から特定ギャップ以後に始まる。
【００１６】
前記ＷＵＳが使用するブロックは、ＷＵＳＢ（ｗａｋｅ  ｕｐ  ｓｉｇｎａｌ  ｂｌｏｃｋ）に定義される。この場合、前記ＷＵＳＢの繰り返しサイズは、前記ＷＵＳのために設定された上位層パラメータと前記ページングメッセージのために設定された上位層パラメータに基づいて決定される。
【００１７】
前記ＷＵＳは、複数のシーケンスのうちいずれか一つに基づいて生成される。前記シーケンスの生成に無線機器の識別子または無線機器のグループ識別子が利用される。
【００１８】
前記複数のシーケンスのうち少なくとも一つは、全ての無線機器をウェイクアップし、またはスリープさせるために使われる。
【００１９】
前述した目的を達成するために、本明細書の一開示は、ページングメッセージを受信する無線機器を提示する。前記無線機器は、送受信部と、前記送受信部を制御するプロセッサと、を含む。前記プロセッサは、ウェイクアップ信号（ｗａｋｅ  ｕｐ  ｓｉｇｎａｌ：ＷＵＳ）の受信を試みるＷＵＳＯ（ｗａｋｅ  ｕｐ  ｓｉｇｎａｌ  ｏｃｃａｓｉｏｎ）ウィンドウを決定する。前記決定されたＷＵＳＯウィンドウ内で前記ＷＵＳが受信される場合、前記ページングメッセージの受信を試みるために、前記プロセッサは、前記送受信部を制御してページングウィンドウの間にダウンリンク制御チャネルをモニタリングする。前記ＷＵＳＯウィンドウは、区間の大きさとオフセットにより決定される。
【発明の効果】
【００２０】
本明細書の開示によると、前述した従来技術の問題点が解決される。
【図面の簡単な説明】
【００２１】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】ダウンリンクサブフレームの構造を示す。
【図４】ＤＲＸサイクルの一例を示す。
【図５ａ】ＩｏＴ（Ｉｎｔｅｒｎｅｔ  ｏｆ  Ｔｈｉｎｇｓ）通信の一例を示す。
【図５ｂ】ＩｏＴ機器のためのセルカバレッジ拡張または増大の例示である。
【図５ｃ】ダウンリンクチャネルのバンドルを送信する例を示す例示図である。
【図６ａ】ＩｏＴ機器が動作する副帯域の例を示す例示図である。
【図６ｂ】ＩｏＴ機器が動作する副帯域の例を示す例示図である。
【図７】ＮＢ−ＩｏＴのために使われることができる時間リソースをＭ−フレーム単位で表す例を示す。
【図８】ＮＢ  ＩｏＴのために使われることができる時間リソースと周波数リソースを示す他の例示図である。
【図９】ページング手順を示す例示図である。
【図１０ａ】本明細書の開示によって導入されるＷＵＳを活用する例を示す流れ図である。
【図１０ｂ】ＷＵＳを時間ドメイン上で表す例示図である。
【図１１】ＷＵＳＯウィンドウを時間軸上で表す例示図である。
【図１２ａ】第２の開示の第１の方法の案を示す例示図である。
【図１２ｂ】第２の開示の第１の方法の案の変形例を示す。
【図１３】第２の開示の第２の方法の案を示す例示図である。
【図１４】第２の開示の第３の方法の案のうち第１の例示を示す例示図である。
【図１５】第２の開示の第３の方法の案のうち第２の例示を示す例示図である。
【図１６】第２の開示の第３の方法の案のうち第３の例示を示す例示図である。
【図１７】第４の開示による方法の案を示す例示図である。
【図１８】第５の開示による方法の案を示す例示図である。
【図１９】本明細書の開示が具体的に実現される無線機器及び基地局を示すブロック図である。
【図２０】図１９に示す無線機器のトランシーバの詳細ブロック図である。
【発明を実施するための形態】
【００２２】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００２３】
本明細書で使用される技術的用語は、単に特定の実施形態を説明するために使われたものであり、本発明を限定するものではないことに留意しなければならない。また、本明細書で使用される技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使用される技術的な用語が本発明の思想を正確に表現することができない技術的用語である場合、当業者が正確に理解することができる技術的用語に変えて理解しなければならない。また、本発明で使用される一般的な用語は、辞書の定義によってまたは前後の文脈によって解釈されなければならず、過度に縮小された意味で解釈されてはならない。
【００２４】
また、本明細書で使用される単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２５】
また、本明細書で使用される第１及び第２などのように序数を含む用語は、多様な構成要素の説明に使用されることができるが、前記構成要素は、前記用語により限定されてはならない。前記用語は、１つの構成要素を他の構成要素から区別する目的としてのみ使用される。例えば、本発明の権利範囲を外れない限り、第１の構成要素は第２の構成要素と命名することができ、同様に、第２の構成要素も第１の構成要素と命名することができる。
【００２６】
構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２７】
以下、添付図面を参照して本発明による好ましい実施形態を詳細に説明し、図面符号にかかわらず同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面のほか、全ての変更、均等物乃至代替物にまで拡張されると解釈されなければならない。
【００２８】
以下で使用される用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２９】
また、以下で使用される用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００３０】
図１は、無線通信システムである。
【００３１】
図１を参照してわかるように、無線通信システムは、少なくとも１つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００３２】
ＵＥは、通常的に、１つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００３３】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３４】
一方、無線通信システムは、大きく、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域がアップリンク送信とダウンリンク送信に時分割されるため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３５】
以下、ＬＴＥシステムに対し、より詳細に説明する。
【００３６】
図２は、３ＧＰＰ  ＬＴＥにおいて、ＦＤＤによる無線フレーム（ｒａｄｉｏ  ｆｒａｍｅ）の構造を示す。
【００３７】
図２を参照すると、無線フレームは、１０個のサブフレーム（ｓｕｂｆｒａｍｅ）を含み、１つのサブフレームは、２個のスロット（ｓｌｏｔ）を含む。無線フレーム内のスロットは、０から１９までのスロット番号が付けられる。１つのサブフレームの送信にかかる時間を送信時間間隔（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、１つの無線フレームの長さは１０ｍｓであり、１つのサブフレームの長さは１ｍｓであり、１つのスロットの長さは０．５ｍｓである。
【００３８】
無線フレームの構造は、例示に過ぎず、無線フレームに含まれるサブフレームの数またはサブフレームに含まれるスロットの数等は、多様に変更されることができる。
【００３９】
一方、１つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。１つのスロットに複数個のＯＦＤＭシンボルが含まれるかは、サイクリックプレフィックス（ｃｙｃｌｉｃ  ｐｒｅｆｉｘ：ＣＰ）によって変わることができる。
【００４０】
１つのスロットは、周波数領域（ｆｒｅｑｕｅｎｃｙ  ｄｏｍａｉｎ）でＮＲＢ個のリソースブロック（ＲＢ）を含む。例えば、ＬＴＥシステムにおいてリソースブロック（ＲＢ）の個数、即ち、ＮＲＢは、６〜１１０のうち、いずれか１つでありうる。
【００４１】
リソースブロック（ｒｅｓｏｕｒｃｅ  ｂｌｏｃｋ：ＲＢ）は、リソース割当単位に、１つのスロットで複数の副搬送波を含む。例えば、１つのスロットが時間領域で７個のＯＦＤＭシンボルを含み、リソースブロックは、周波数領域で１２個の副搬送波を含むならば、１つのリソースブロックは、７×１２個のリソース要素（ｒｅｓｏｕｒｃｅ  ｅｌｅｍｅｎｔ：ＲＥ）を含むことができる。
【００４２】
３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）、並びに、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【００４３】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００４４】
図３は、ダウンリンクサブフレームの構造を示す。
【００４５】
図３では、ノーマルＣＰを仮定して例示的に一つのスロット内に７ＯＦＤＭシンボルを含むことを示した。
【００４６】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００４７】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。まず、無線機器は、ＰＣＦＩＣＨ上にＣＦＩを受信した後、ＰＤＣＣＨをモニタリングする。
【００４８】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＮＢ  ＩｏＴ機器グループ内の個別ＮＢ  ＩｏＴ機器に対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００４９】
基地局は、ＮＢ  ＩｏＴ機器に送るＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨのオーナー（ｏｗｎｅｒ）や用途によって固有な識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＮＢ  ＩｏＴ機器のためのＰＤＣＣＨの場合、ＮＢ  ＩｏＴ機器の固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＮＢ  ＩｏＴ機器のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００５０】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望の識別子をデマスキングし、ＣＲＣエラーをチェックすることで、該当ＰＤＣＣＨが自分の制御チャネルかどうかを確認する方式である。基地局は、無線機器に送るＤＣＩによってＰＤＣＣＨフォーマットを決定した後、ＤＣＩにＣＲＣを付け、ＰＤＣＣＨのオーナー（ｏｗｎｅｒ）や用途によって固有な識別子（ＲＮＴＩ）をＣＲＣにマスキングする。
【００５１】
＜不連続受信（Ｄｉｓｃｏｎｔｉｎｕｏｕｓ Ｒｅｃｅｐｔｉｏｎ、ＤＲＸ）＞
【００５２】
以下、３ＧＰＰ  ＬＴＥにおいて、ＤＲＸ（Ｄｉｓｃｏｎｔｉｎｕｏｕｓ  Ｒｅｃｅｐｔｉｏｎ）に対して記述する。
【００５３】
ＤＲＸは、端末が不連続的にダウンリンクチャネルをモニタリングするようにして無線機器のバッテリ消費を減らす技法である。
【００５４】
図４は、ＤＲＸサイクルの一例を示す。
【００５５】
ＤＲＸサイクルは、休止（ｉｎａｃｔｉｖｉｔｙ）可能な区間が連続するＯｎ−区間（Ｏｎ−Ｄｕｒａｔｉｏｎ）の周期的な繰り返しを特定する。ＤＲＸサイクルは、Ｏｎ−区間とＯｆｆ−区間を含む。Ｏｎ−区間は、ＤＲＸサイクル内で端末がＰＤＣＣＨをモニタリングする区間である。
【００５６】
ＤＲＸが設定されると、端末は、Ｏｎ−区間でのみＰＤＣＣＨをモニタリングし、Ｏｆｆ−区間ではＰＤＣＣＨをモニタリングしない。
【００５７】
Ｏｎ−区間の定義に使われるものがｏｎＤｕｒａｔｉｏｎタイマである。Ｏｎ−区間は、ｏｎＤｕｒａｔｉｏｎタイマが動作中である区間に定義されることができる。ｏｎＤｕｒａｔｉｏｎタイマは、ＤＲＸサイクルの開始時点に連続的なＰＤＣＣＨ−サブフレームの個数を特定する。ＰＤＣＣＨ−サブフレームは、ＰＤＣＣＨがモニタリングされるサブフレームを意味する。
【００５８】
ＤＲＸサイクル外にもＰＤＣＣＨがモニタリングされる区間がさらに定義されることができる。ＰＤＣＣＨがモニタリングされる区間を総称してアクティブ時間（ａｃｔｉｖｅ  ｔｉｍｅ）と定義する。アクティブ時間は、周期的にＰＤＣＣＨをモニタリングするＯｎ−区間とイベント発生によってＰＤＣＣＨをモニタリングする区間を含むことができる。
【００５９】
＜キャリアアグリゲーション＞
【００６０】
以下、キャリアアグリゲーション（ｃａｒｒｉｅｒ  ａｇｇｒｅｇａｔｉｏｎ：ＣＡ）システムに対して説明する。
【００６１】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアとの組み合わせ、または単独のダウンリンクコンポーネントキャリアを意味する。
【００６２】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＮＢ  ＩｏＴ機器が基地局との初期接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【００６３】
前述したように、キャリアアグリゲーションシステムでは単一搬送波システムと違って複数のコンポーネントキャリア（ＣＣ）、即ち、複数のサービングセルをサポートすることができる。
【００６４】
このようなキャリアアグリゲーションシステムは、クロスキャリアスケジューリングをサポートすることができる。クロスキャリアスケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。
【００６５】
＜ＩｏＴ（Ｉｎｔｅｒｎｅｔ  ｏｆ  Ｔｈｉｎｇｓ）通信＞
【００６６】
一方、以下、ＩｏＴに対して説明する。
【００６７】
図５ａは、ＩｏＴ（Ｉｎｔｅｒｎｅｔ  ｏｆ  Ｔｈｉｎｇｓ）通信の一例を示す。
【００６８】
ＩｏＴは、人間の相互作用（ｈｕｍａｎ  ｉｎｔｅｒａｃｔｉｏｎ）を伴わないＩｏＴ機器１００間に基地局２００を介した情報交換またはＩｏＴ機器１００とサーバ７００との間に基地局２００を介した情報交換をいう。このようにＩｏＴ通信がセルラー基地局を通す点で、ＣＩｏＴ（Ｃｅｌｌｕｌａｒ  Ｉｎｔｅｒｎｅｔ  ｏｆ  Ｔｈｉｎｇｓ）とも呼ばれる。
【００６９】
このようなＩｏＴ通信は、ＭＴＣ（Ｍａｃｈｉｎｅ  Ｔｙｐｅ  ｃｏｍｍｕｎｉｃａｔｉｏｎ）の一種である。したがって、ＩｏＴ機器はＭＴＣ機器とも呼ばれる。
【００７０】
ＩｏＴサービスは、従来人間が介入される通信でのサービスと差別性を有し、追跡（ｔｒａｃｋｉｎｇ）、計量（ｍｅｔｅｒｉｎｇ）、支払い（ｐａｙｍｅｎｔ）、医療分野サービス、遠隔調整など、多様な範ちゅうのサービスが含まれることができる。例えば、ＩｏＴサービスには、計器検針、水位測定、監視カメラの活用、自販機の在庫報告などが含まれることができる。
【００７１】
ＩｏＴ通信は、送信データ量が少なく、アップリンクまたはダウンリンクデータ送受信がたまに発生する特徴を有するため、低いデータ送信率に合わせてＩｏＴ機器１００の単価を低くしてバッテリ消費量を減らすことが好ましい。また、ＩｏＴ機器１００は、移動性が少ない特徴を有するため、チャネル環境がほとんど変わらない特性を有している。
【００７２】
図５ｂは、ＩｏＴ機器のためのセルカバレッジ拡張または増大の例示である。
【００７３】
最近、ＩｏＴ機器１００のために、基地局のセルカバレッジを拡張または増大することを考慮しており、セルカバレッジ拡張または増大のための多様な技法が論議されている。
【００７４】
しかし、セルのカバレッジが拡張または増大する場合、基地局が前記カバレッジ拡張（ｃｏｖｅｒａｇｅ  ｅｘｔｅｎｓｉｏｎ：ＣＥ）またはカバレッジ増大（ｃｏｖｅｒａｇｅ  ｅｎｈａｎｃｅｍｅｎｔ：ＣＥ）地域に位置するＩｏＴ機器にダウンリンクチャネルを送信すると、前記ＩｏＴ機器は、これの受信に困難を経験するようになる。同様に、ＣＥ地域に位置するＩｏＴ機器がアップリンクチャネルをそのまま送信すると、基地局は、これの受信に困難を経験するようになる。
【００７５】
このような問題点を解決するために、ダウンリンクチャネルまたはアップリンクチャネルが多数のサブフレーム上で繰り返し送信されることができる。このように多数のサブフレーム上で繰り返してアップリンク／ダウンリンクチャネルを送信することをバンドル（ｂｕｎｄｌｅ）送信という。
【００７６】
図５ｃは、ダウンリンクチャネルのバンドルを送信する例を示す例示図である。
【００７７】
図５ｃを参照してわかるように、基地局は、カバレッジ拡張領域に位置するＩｏＴ機器１００にダウンリンクチャネル（例えば、ＰＤＣＣＨ及び／またはＰＤＳＣＨ）を多数のサブフレーム（例えば、Ｎ個のサブフレーム）上で繰り返し送信する。
【００７８】
そのとき、前記ＩｏＴ機器または基地局は、ダウンリンク／アップリンクチャネルのバンドルを多数のサブフレーム上で受信し、バンドルの一部または全体をデコーディングすることで、デコーディング成功率を高めることができる。
【００７９】
図６ａ及び図６ｂは、ＩｏＴ機器が動作する副帯域の例を示す例示図である。
【００８０】
ＩｏＴ機器のコスト節減（ｌｏｗ−ｃｏｓｔ）のための一つの方法の案として、図６ａに示すように、セルのシステム帯域幅にかかわらず、前記ＩｏＴ機器は、例えば、１．４ＭＨｚ程度の副帯域を使用することができる。
【００８１】
このとき、このようなＩｏＴ機器が動作する副帯域の領域は、図６ａに示すように、前記セルのシステム帯域幅の中心領域（例えば、中間の６個のＰＲＢ）に位置することもできる。
【００８２】
または、図６ｂに示すように、ＩｏＴ機器間のサブフレーム内の多重化のためにＩｏＴ機器の副帯域を一つのサブフレームに複数個置き、ＩｏＴ機器間に異なる副帯域を使用することができる。このとき、大部分のＩｏＴ機器は、前記セルのシステム帯域の中心領域（例えば、中間の６個のＰＲＢ）でない他の副帯域を使用することもできる。
【００８３】
このように縮小された帯域幅上で動作するＩｏＴ通信をＮＢ（Ｎａｒｒｏｗ  Ｂａｎｄ）ＩｏＴ通信またはＮＢ  ＣＩｏＴ通信と呼ぶ。
【００８４】
図７は、ＮＢ−ＩｏＴのために使われることができる時間リソースをＭ−フレーム単位で表す例を示す。
【００８５】
図７を参照すると、ＮＢ−ＩｏＴのために使われることができるフレームは、Ｍ−フレームと呼ばれ、長さは、例示的に６０ｍｓである。また、ＮＢ  ＩｏＴのために使われることができるサブフレームは、Ｍ−サブフレームと呼ばれ、長さは、例示的に６ｍｓである。したがって、Ｍ−フレームは、１０個のＭ−サブフレームを含むことができる。
【００８６】
各Ｍ−サブフレームは、２個のスロットを含むことができ、各スロットは、例示的に３ｍｓである。
【００８７】
しかし、図７に示すものと違って、ＮＢ  ＩｏＴのために使われることができるスロットは、２ｍｓの長さを有することもでき、それによって、サブフレームは、４ｍｓの長さを有し、フレームは、４０ｍｓの長さを有することもできる。これに対しては図７を参照してより具体的に説明する。
【００８８】
図８は、ＮＢ  ＩｏＴのために使われることができる時間リソースと周波数リソースを示す他の例示図である。
【００８９】
図８を参照すると、ＮＢ−ＩｏＴのアップリンクでスロット上に送信された物理チャネルまたは物理信号は、時間領域（ｔｉｍｅ  ｄｏｍａｉｎ）でＮｓｙｍｂＵＬ個のＳＣ−ＦＤＭＡシンボルを含み、周波数領域（ｆｒｅｑｕｅｎｃｙ  ｄｏｍａｉｎ）でＮｓｃＵＬ個の副搬送波（ｓｕｂｃａｒｒｉｅｒｓ）を含む。アップリンクの物理チャネルは、ＮＰＵＳＣＨ（Ｎａｒｒｏｗｂａｎｄ  Ｐｈｙｓｉｃａｌ  Ｕｐｌｉｎｋ  Ｓｈａｒｅｄ  Ｃｈａｎｎｅｌ）及びＮＰＲＡＣＨ（Ｎａｒｒｏｗｂａｎｄ  Ｐｈｙｓｉｃａｌ  Ｒａｎｄｏｍ  Ａｃｃｅｓｓ  Ｃｈａｎｎｅｌ）に分けられる。そして、ＮＢ−ＩｏＴにおいて、物理信号は、ＮＤＭＲＳ（Ｎａｒｒｏｗｂａｎｄ  ＤｅＭｏｄｕｌａｔｉｏｎ  Ｒｅｆｅｒｅｎｃｅ  Ｓｉｇｎａｌ）になることができる。
【００９０】
ＮＢ−ＩｏＴにおいて、Ｔｓｌｏｔスロットの間にＮｓｃＵＬ個の副搬送波のアップリンク帯域幅は、以下の通りである。
【００９１】
【表１】
0006882475.tif 000002
【００９２】
ＮＢ−ＩｏＴにおいて、リソースグリッドの各リソース要素（ＲＥ）は、時間領域と周波数領域を指示するｋ＝０、...、ＮｓｃＵＬ−１、ｌ＝０、...、ＮｓｙｍｂＵＬ−１であるとき、スロット内でインデックス対（ｋ、ｌ）に定義されることができる。ＮＢ−ＩｏＴにおいて、ダウンリンクの物理チャネルは、ＮＰＤＳＣＨ（Ｎａｒｒｏｗｂａｎｄ  Ｐｈｙｓｉｃａｌ  Ｄｏｗｎｌｉｎｋ  Ｓｈａｒｅｄ  Ｃｈａｎｎｅｌ）、ＮＰＢＣＨ（Ｎａｒｒｏｗｂａｎｄ  Ｐｈｙｓｉｃａｌ  Ｂｒｏａｄｃａｓｔ  Ｃｈａｎｎｅｌ）、ＮＰＤＣＣＨ（Ｎａｒｒｏｗｂａｎｄ  Ｐｈｙｓｉｃａｌ  Ｄｏｗｎｌｉｎｋ  Ｃｏｎｔｒｏｌ  Ｃｈａｎｎｅｌ）を含む。そして、ダウンリンク物理信号は、ＮＲＳ（Ｎａｒｒｏｗｂａｎｄ  ｒｅｆｅｒｅｎｃｅ  ｓｉｇｎａｌ）、ＮＳＳ（Ｎａｒｒｏｗｂａｎｄ  ｓｙｎｃｈｒｏｎｉｚａｔｉｏｎ  ｓｉｇｎａｌ）、及びＮＰＲＳ（Ｎａｒｒｏｗｂａｎｄ  ｐｏｓｉｔｉｏｎｉｎｇ  ｒｅｆｅｒｅｎｃｅ  ｓｉｇｎａｌ）を含む。前記ＮＳＳは、ＮＰＳＳ（Ｎａｒｒｏｗｂａｎｄ  ｐｒｉｍａｒｙ  ｓｙｎｃｈｒｏｎｉｚａｔｉｏｎ  ｓｉｇｎａｌ）とＮＳＳＳ（Ｎａｒｒｏｗｂａｎｄ  ｓｅｃｏｎｄａｒｙ  ｓｙｎｃｈｒｏｎｉｚａｔｉｏｎ  ｓｉｇｎａｌ）を含む。一方、ＮＢ−ＩｏＴは、低複雑度（ｌｏｗ−ｃｏｍｐｌｅｘｉｔｙ）／低費用（ｌｏｗ−ｃｏｓｔ）によって縮小された帯域幅（即ち、狭帯域）を使用する無線機器のための通信方式である。このようなＮＢ−ＩｏＴ通信は、前記縮小された帯域幅上で数多い無線機器が接続されるようにすることを目標としている。さらに、ＮＢ−ＩｏＴ通信は、既存ＬＴＥ通信でのセルカバレッジより広いセルカバレッジをサポートすることを目標としている。
【００９３】
一方、前記縮小された帯域幅を有する搬送波は、前記表１を参照してわかるように副搬送波間隔（ｓｕｂｃａｒｒｉｅｒ  ｓｐａｃｉｎｇ）が１５ｋＨｚである場合、一つのＰＲＢのみを含む。即ち、ＮＢ−ＩｏＴ通信は、一つのＰＲＢのみを利用して実行されることができる。ここで、無線機器が基地局からＮＰＳＳ／ＮＳＳＳ／ＮＰＢＣＨ／ＳＩＢ−ＮＢが送信されると仮定し、これを受信するために接続するＰＲＢをアンカーＰＲＢ（または、アンカー搬送波）という。一方、前記無線機器は、前記アンカーＰＲＢ（または、アンカー搬送波）のほかに、基地局から追加的なＰＲＢの割当を受けることができる。ここで、前記追加的なＰＲＢのうち、前記無線機器が前記基地局からＮＰＳＳ／ＮＳＳＳ／ＮＰＢＣＨ／ＳＩＢ−ＮＢの受信を期待しないＰＲＢを非アンカーＰＲＢ（または、非アンカー搬送波）という。
【００９４】
＜ページング（ｐａｇｉｎｇ）＞
【００９５】
ページング手順は、ＲＲＣアイドル状態にある端末に伝達するダウンリンクデータがある場合、端末をＲＲＣ接続モードに転換させるための手順である。
【００９６】
図９は、ページング手順を示す例示図である。
【００９７】
図９を参照してわかるように、基地局がページング信号をＭＭＥ（Ｍｏｂｉｌｉｔｙ  Ｍａｎａｇｅｍｅｎｔ  Ｅｎｔｉｔｙ）（図示せず）から受信すると、前記基地局は、Ｐ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ）でスクランブリングされたＣＲＣ（ｃｙｃｌｉｃ  ｒｅｄｕｎｄａｎｃｙ  ｃｈｅｃｋ）を有するＰＤＣＣＨ（またはＭＰＤＣＣＨ、またはＮＰＤＣＣＨ）を送信する。そして、前記基地局は、ページングメッセージを含むＰＤＳＣＨを送信する。
【００９８】
前記端末は、前記Ｐ−ＲＮＴＩでスクランブリングされたＣＲＣを有するＰＤＣＣＨ（またはＭＰＤＣＣＨ、またはＮＰＤＣＣＨ）のデコーディングに成功すると、前記ＰＤＳＣＨを介してページングメッセージをデコーディングする。そして、前記端末は、ＲＲＣ接続モードに進入するために、ＲＲＣ接続手順を確立する。
【００９９】
このように、前記端末がページングメッセージを受信するために、ＰＤＣＣＨ（またはＭＰＤＣＣＨ、またはＮＰＤＣＣＨ）をモニタリングしなければならない。しかし、前記モニタリングの周期が短い場合、前記端末がブラインドデコーディング（ｂｌｉｎｄ  ｄｅｃｏｄｉｎｇ：ＢＤ）を実行する周期が短くなるようになって電力消費が増加する問題点がある。
【０１００】
＜本明細書の開示＞
【０１０１】
前記言及した問題点を解決するために、本明細書の開示は、新しい信号、例えば、ＷＵＳ（ｗａｋｅ  ｕｐ  ｓｉｇｎａｌ）を導入することを提案する。即ち、本明細書の開示は、ＷＵＳを活用することで、端末の電力消費を減らすことができるようにする方法の案を提示する。
【０１０２】
図１０ａは、本明細書の開示によって導入されるＷＵＳを活用する例を示す流れ図であり、図１０ｂは、ＷＵＳを時間ドメイン上で表す例示図である。
【０１０３】
図１０ａを参照してわかるように、基地局は、ＰＤＣＣＨ（またはＭＰＤＣＣＨ、またはＮＰＤＣＣＨ）を送信する前にＷＵＳを送信することができる。前記ＷＵＳを受信すると、無線機器は、ページングメッセージの受信を試みるためにＰＤＣＣＨ（またはＭＰＤＣＣＨ、またはＮＰＤＣＣＨ）をモニタリングすることができる。一つのＷＵＳは、複数のページングメッセージが受信されることを示すことができる。この場合、前記無線機器が一つのＷＵＳを受信すると、複数のページングメッセージの受信を試みるために、多数のサブフレーム上でＰＤＣＣＨ（またはＭＰＤＣＣＨ、またはＮＰＤＣＣＨ）をモニタリングすることができる。
【０１０４】
図１０ｂを参照すると、無線機器がＷＵＳをモニタリングすべき区間をＷＵＳＯ（ｗａｋｅ  ｕｐ  ｓｉｇｎａｌ  ｏｃｃａｓｉｏｎ）に定義することができる。より具体的に、時間ドメイン上でＷＵＳが実際に存在する時間の区間をＷＵＳＯという。即ち、基地局がＷＵＳを送信する時間の区間をＷＵＳＯということができる。本明細書で提示される方法の案は、ＮＢ−ＩｏＴに適用されることができる。したがって、以下では、説明の便宜上、ＮＰＤＣＣＨをモニタリングすべきＮＢ−ＩｏＴ無線機器の観点で、本明細書の開示が説明される。しかし、本明細書の開示は、ＷＵＳ（ｗａｋｅ  ｕｐ  ｓｉｇｎａｌ）を使用する他のシステムにも一般的に適用されることができる。また、以下では、説明の便宜上、ページングメッセージを受信するために、前記ＮＰＤＣＣＨのモニタ及びブラインドデコーディングを実行する動作を中心に記述されるが、本明細書の開示は、一般的な物理チャネルのブラインドデコーディングを実行するにあたって、電力消費を減らすためにも適用されることができる。例えば、本明細書で説明する方法の案は、ＲＲＣ接続モード（ＲＲＣ  ｃｏｎｎｅｃｔｅｄ  ｍｏｄｅ）にある無線機器がＣ−ＤＲＸモードを維持する場合、ＵＳＳ（ＵＥ−ｓｐｅｃｉｆｉｃ  ｓｅａｒｃｈ  ｓｐａｃｅ）をモニタリングする過程にも適用されることができる。
【０１０５】
また、後述する内容は、基地局が無線機器にＷＵＳを送信することによって、無線機器がＮＰＤＣＣＨをモニタリングした後、ウェイクアップ（ｗａｋｅ  ｕｐ）動作を中心に説明しているが、該当動作は、無線機器がＮＰＤＣＣＨをモニタリングしないように情報（または、信号）を伝達するスリープ（ｇｏ  ｔｏ  ｓｌｅｅｐ）動作にも同一に適用されることができる。
【０１０６】
Ｉ．第１の開示：ＷＵＳに含まれる情報
【０１０７】
本節ではＷＵＳを利用して特定情報を送信する方法の案を提案する。
【０１０８】
前記情報は、シーケンス形態で表現されることができる。例えば、Ｚａｄｏｆｆ−Ｃｈｕのような形態のシーケンスを使用してＷＵＳを表現することができる。例えば、時間ドメイン上でシーケンスの位置により情報の区分が可能である。または、前記情報を表現する方式は、トーン（ｔｏｎｅ）選択ベースの方式を使用することもできる。具体的に、特定時間ドメイン内でトーンをホッピングするパターンを介して情報を区分することもできる。これはＮＰＲＡＣＨに使われる周波数ホッピングパターンと同じ方式である。または、情報を表現する方式は、特定シーケンスが存在するシンボル位置（または、その他の区分可能な時間ドメイン上のリソース単位）を使用することもできる。例えば、合計ｎ個のシーケンスのうち、ｍ番目のシーケンスが一サブフレーム内でｌ番目のシンボルに位置する場合とｌ′番目のシンボルに位置する場合、表現する情報は互いに異なる。または、前記情報を表現する方式として、ＮＰＤＣＣＨやＰＨＩＣＨのような形態に基づいて情報を表現する方式が使われることもできる。または、情報を表現する方式として、ＤＣＩのように物理チャネルを使用してＷＵＳに含まれる情報を表現する方式を使用することができる。
【０１０９】
ＷＵＳを利用して情報を表現する場合、該当情報は、無線機器が前記ＷＵＳを受信した以後、ページングメッセージの受信を実行する周波数リソースドメインを指示するための目的として使われることができる。ここで、前記ページングメッセージが存在する時間の区間をＰＯ（ｐａｇｉｎｇ  ｏｃｃａｓｉｏｎ）ということができる。即ち、前記ＰＯは、基地局がページングメッセージを送信する時間の区間を意味する。前記ＰＯは、時間の区間でない、特定ｓｕｂｆｒａｍｅを指示することもできる。即ち、前記ページングメッセージの送信が始まるサブフレームをＰＯということができる。前記無線機器は、前記ＰＯ区間で前記ページングメッセージを受信する。これはＷＵＳを利用して、基地局がページングの負荷を一時的に制御できるようにするための目的である。ＷＵＳを利用して情報を表現する場合、該当情報は、システム情報（例えば、ＭＩＢまたはＳＩＢ）の更新を指示するための目的として使われることができる。例えば、ＮＢ−ＩｏＴにおいて、ＮＰＢＣＨやＮＢ−ＳＩＢ１のように該当内容がよく変わらない情報の場合、前記無線機器は、前記ＮＰＢＣＨやＮＢ−ＳＩＢ１を読み取る前に、前記ＷＵＳを読み取って前記ＮＰＢＣＨやＮＢ−ＳＩＢ１内の情報が変動されたかどうかをあらかじめ把握できる。他の例として、ＲＲＣ一時停止（Ｓｕｓｐｅｎｄ  ｍｏｄｅ）にある無線機器がＲＲＣ接続モードに転換する場合、ＲＲＣシグナリングの更新可否を知らせるための目的として使われることができる。これはシステム情報の取得時間を減らして無線機器の電力消費と遅延（ｌａｔｅｎｃｙ）を減らすための目的である。
【０１１０】
ＷＵＳを利用して特定情報を表現する場合、該当情報は、ページングを受信すべき無線機器の識別子（例えば、ＵＥ＿ＩＤ）またはグループ識別子を細分化するための目的である。例えば、同じＷＵＳＯ内でモニタリングを実行する無線機器は、同じＰＯ時間の区間にモニタリングを実行するグループ内に属している場合がある。他の例として、基地局は、一つのグループ内に属する無線機器のうち、ページングを実際に送信するための無線機器を細部的なグループに再び分けるための目的として、ＷＵＳに含まれる情報を使用することができる。より具体的な例として、特定ＰＯ時間の区間の間にモニタリングを実行する無線機器が合計Ｎ個存在し、これを再びＭ個の細部グループに分けようとする場合、ＷＵＳには互いに区分可能な合計Ｍ個の情報が含まれることもできる。このとき、無線機器は、ＷＵＳＯをモニタリングしてＷＵＳを受信すると、前記ＷＵＳに含まれている情報から自分が属する細部グループに対する情報を知ることができる。
【０１１１】
ＷＵＳを利用して情報を表現する方式は、前記提案された方式以外に多様に存在でき、その一部の例示は後述する。
【０１１２】
II．第２の開示：ＷＵＳＯ設定
【０１１３】
ＷＵＳをモニタリングする特定区間をＷＵＳＯウィンドウに定義することができる。具体的に、図１１を参照して説明する。即ち、ＷＵＳを受信するためにモニタリングを実行すべき時間の区間をＷＵＳＯウィンドウと定義することができる。
【０１１４】
図１１は、ＷＵＳＯウィンドウを時間軸上で表す例示図である。
【０１１５】
図１１を参照してわかるように、前記ＷＵＳＯウィンドウ内で前記ＷＵＳが実際に存在する時間の区間は、前記説明したようにＷＵＳＯである。
【０１１６】
この場合、無線機器は、ＷＵＳＯウィンドウ内で可能なサブフレームを対象にしてＷＵＳをモニタリングすることができる。ＷＵＳＯウィンドウの大きさは、一つ以上のサブフレームを含むことができる。このとき、サブフレームの大きさ及び個数に対する情報は、上位層シグナルを介して指示されることができる。または、サブフレームの大きさは、ＷＵＳに含まれている情報を介して指示されることもできる。または、該当ＷＵＳＯは、複数個のシンボルまたはスロット単位である。ＷＵＳＯウィンドウは、絶対的な時間に設定されることもできる。このとき、絶対的な時間は、サブフレームが有効か否かにかかわらず連続されたサブフレームの個数を意味できる。このとき、ＷＵＳは、ＷＵＳＯウィンドウ内に有効なサブフレームで送信されるように決まることができる。それに対し、もし、ＷＵＳＯウィンドウが有効なサブフレームの個数を基準にして長さが決まる場合、ＷＵＳＯウィンドウは、実際にＷＵＳが送信されるサブフレームと同じ意味を有することができる。本節では、説明の便宜のために、以後の説明でＷＵＳＯウィンドウとＷＵＳＯを区分せずに、ＷＵＳＯとして統一して記述する。
【０１１７】
無線機器がモニタリングするＷＵＳＯが存在する周波数ドメインリソースは、以後モニタリングすべきページングメッセージが受信される周波数ドメインリソースと同じ領域である。特徴的に、ＮＢ−ＩｏＴでは、無線機器がページングメッセージをモニタリングするアンカー（または、非アンカー）搬送波と同じ搬送波でＷＵＳＯをモニタリングするように決まることができる。これは周波数リソースが変わる場合、無線機器が周波数再調整を実行するときに消費される電力を減らすためである。
【０１１８】
ＷＵＳＯは、一定周期に発生するように決まることができる。例えば、ＷＵＳＯの周期は、上位層シグナルを介して固定された時間（または、サブフレーム数）に決められる。この場合、全ての無線機器は、上位層シグナルにより設定された同じ周期を適用することができる。または、ＷＵＳＯの周期は、各無線機器別に特定値に決められることもできる。もし、無線機器が上位層シグナルにより全ての無線機器に共通されたＷＵＳＯ周期の設定を受け、無線機器別に特定値でＷＵＳＯの設定を受けた場合、無線機器及び／または基地局は、上位層シグナルを介して設定した周期と無線機器別に特定な周期のうち、短い周期を基準にしてＷＵＳＯの周期が設定されることを仮定して動作できる。または、ＷＵＳＯの周期は、ＷＵＳに含まれている情報を介して指示されることもできる。ＷＵＳＯの周期が表現される方式は、絶対的な時間（または、サブフレームの個数）を表現することもでき、二つのＷＵＳＯの間に発生できるＰＯの個数に決められることもできる。ＰＯの個数でＷＵＳＯの周期が表現される場合、該当周期は、ＰＯの周期の倍数形態で設定されることができる。
【０１１９】
もし、ＷＵＳＯが有効なサブフレームでのみ設定されている状況で、ＷＵＳＯが有効でないサブフレームの位置と衝突し、または一部または全部が重なる場合、該当ＷＵＳＯは、有効でないサブフレームの後に延期（ｐｏｓｔｐｏｎｅ）されるように決まることができる。もし、無線機器がＷＵＳＯの間に自分に割り当てられたＷＵＳを検出した場合、ＷＵＳに指示されたページングウィンドウの区間内でＰＯとＷＵＳＯが衝突し、または時間リソース上で一部または全部重なる場合、無線機器は、ＷＵＳＯをあきらめてＰＯ時間の区間の間にモニタリングを実行することができる。即ち、前記ＷＵＳの受信が放棄される場合、前記ＷＵＳＯでのＷＵＳ送信可否にかかわらず、前記ＷＵＳＯに対応するＰＯの間に前記ページングメッセージの受信がモニタリングされることができる。これは無線機器の電力消費を低くするための目的であり、基地局は、無線機器のこのような動作を仮定してＷＵＳＯをスケジューリングすることができる。もし、ＷＵＳに指示されたページングウィンドウ以外の区間でＷＵＳＯとＰＯが衝突し、または時間リソース上で一部または全部重なる場合、無線機器は、ＷＵＳＯをモニタリングするように決まることができる。
【０１２０】
または、ＷＵＳＯが有効なサブフレームでのみ動作するように決まっている状況で、ＷＵＳＯが有効でないサブフレームの位置と衝突し、または時間リソース上で一部または全部重なる場合、該当ＷＵＳＯは、放棄（ｄｒｏｐ）するように決まることができる。この場合、もし、スリープ（ｇｏ  ｔｏ  ｓｌｅｅｐ）のような動作を実行する時、ＷＵＳを送らなくても、無線機器が自分に割り当てられたページングメッセージをミスする（ｍｉｓｓｉｎｇ）確率は増加しない。
【０１２１】
ＷＵＳＯが設定された区間以前に特定ギャップの間にはＰＯが存在しない。即ち、前記特定ギャップ区間の間にはページングメッセージの受信を試みない。これはＰＯでＮＰＤＣＣＨをブラインドデコーディングするための時間を保証するための目的である。もし、前記ギャップがダウンリンクサブフレームを基準にしてｎｇａｐ＿ｐ＿ｔｏ＿ｗサブフレームになるように設定された場合、ページングウィンドウは、ＷＵＳＯの発生時点でｎｇａｐ＿ｐ＿ｔｏ＿ｗサブフレーム以前までのみ含むように決まることができる。または、ページングウィンドウがギャップに設定された区間を含んでも、無線機器は、この区間でＰＯを期待しないように決まることができる。この場合、ギャップの大きさは、上位層シグナルにより設定された同じ周期を適用することができる。または、ギャップの大きさは、ＷＵＳに含まれている情報を介して指示されることもできる。
【０１２２】
または、ＰＯが設定された区間以後に特定ギャップの間にはＷＵＳＯが存在しない。即ち、前記特定ギャップ区間の間にはＷＵＳ受信を試みない。これはＰＯでＮＰＤＣＣＨをブラインドデコーディングするための時間を保証するための目的である。この場合、もし、スリープ（ｇｏ  ｔｏ  ｓｌｅｅｐ）のような動作を実行する時、ＷＵＳをモニタリングしなくても、無線機器が自分に割り当てられたページングメッセージをミスする（ｍｉｓｓｉｎｇ）確率は増加しない。
【０１２３】
もし、ＷＵＳＯと特定目的の検索空間（例えば、ＣＳＳ（ｃｏｍｍｏｎ  ｓｅａｒｃｈ  ｓｐａｃｅ）またはＵＳＳ）が衝突し、または時間リソース上で一部または全部重なる場合、端末は、ＷＵＳＯの間にＷＵＳの受信を試みないように決まることができる。その代わりに、端末は、該当ＷＵＳＯの間では、基地局からＷＵＳが送信されなくても、ＰＤＣＣＨ（または、ＮＰＤＣＣＨ）が送信されることができることを仮定することができる。例えば、特定目的の検索空間は、ＲＡＲを受信するための目的、またはＳＣ−ＰｔＭ動作のために設定された位置などがある。言及した内容は、二つの種類以上のＷＵＳ設計が使われる場合、特定ＷＵＳ設計に対してのみ適用されるように決まることができる。例えば、同期目的としてＷＵＳが使われることができる設計と、そうでない設計が両方とも使用可能であると仮定する。もし、基地局の決定により二つの設計のうち一つまたは二つの組み合わせが決定される場合、前記言及した内容は、同期目的として使われないＷＵＳに限って適用されるように決まることができる。このとき、同期目的として使われないＷＵＳとは、無線機器が同期信号の受信のために使用するのが容易でない設計を意味し、必ず同期信号の取得のために使われてはいけない、または該当機能が存在しないことを意味するものではない。例えば、ＮＳＳＳのように多数のＯＦＤＭシンボルにわたってＲＥマッピングが実行されるｌｏｎｇ  ＺＣシーケンスの場合がこれに該当する。
【０１２４】
または、ＷＵＳが他の信号やチャネルと衝突し、または時間リソース上で一部または全部重なる場合、前記衝突が発生した程度によってパンクチャリング（ｐｕｎｃｔｕｒｉｎｇ）または放棄（ｄｒｏｐｐｉｎｇ）適用可否が決定されることができる。例えば、他のＣＳＳとの衝突の程度が小さい場合、パンクチャリングが適用されるように定め、特定の大きさ以上に衝突が発生した場合にのみＷＵＳを放棄（ｄｒｏｐ）し、ＷＵＳの送信がなくてもＮＰＤＣＣＨが送信されることができることを仮定するように決まることができる。一方、特定カバレッジ拡張領域に位置し、受信を繰り返す無線機器にはパンクチャリングが適用されることができる。放棄（Ｄｒｏｐｐｉｎｇ）の場合、パンクチャリングされるべき大きさが過度に大きい場合、基地局の観点で無意味なＷＵＳの送信を防止するための目的である。また、前記放棄の場合、無線機器の観点では、短いＷＵＳによる性能の劣化を防止するための目的である。ここで、パンクチャリングそして放棄のうちいずれか一つを決定する基準は、ＷＵＳの衝突が発生した絶対的な時間ドメイン単位（例えば、シンボルまたはサブフレーム）の個数により決められる。または、前述した内容でパンクチャリングまたは放棄を決定する基準は、設定されたＷＵＳの区間を基準にして衝突が発生した割合で決まることができる。前記基準値は、あらかじめ決まった固定値であり、または基地局により設定されて上位層シグナルを介して無線機器に指示されることもできる。
【０１２５】
前記説明した内容のうち、ページングウィンドウに対する定義及び設定は、第２の開示に記述された内容に従う。もし、ページングウィンドウが必要でないシステムである場合、別途の定義がなくても、ページングウィンドウは、ＷＵＳＯの間にＰＯをモニタリングすることができる全ての区間と同じ意味を有することができる。
【０１２６】
ＷＵＳＯを決定する方法の案は、以下に記述された方法の案のうち一つである。
【０１２７】
II−１：第２の開示の第１の方法の案
【０１２８】
ＷＵＳＯウィンドウは、ＰＯ（ｐａｇｉｎｇ  ｏｃｃａｓｉｏｎ）に対するオフセット（ｎｗ＿ｏｆｆｓｅｔ）で定義されることができる。
【０１２９】
図１２ａは、第２の開示の第１の方法の案を示す例示図である。
【０１３０】
図１２ａを参照すると、第２の開示の第１の方法の案によってＷＵＳＯウィンドウが決定される方法の案が例示的に示されている。しかし、図示されたものと違って、ＷＵＳを利用する他の形態の方法の案も可能である。
【０１３１】
例えば、ＰＯが特定ｎ番目のサブフレームに設定されている場合、ＷＵＳＯウィンドウの開始サブフレームは、ｎ−ｎｗ＿ｏｆｆｓｅｔ番目のサブフレームに決定されることができる。このとき、ｎｗ＿ｏｆｆｓｅｔの値は、上位層パラメータに設定される値である。もし、前記ｎｗ＿ｏｆｆｓｅｔの値が設定されない場合、無線機器は、あらかじめ約束された基本値を使用することができる。または、ｎｗ＿ｏｆｆｓｅｔの値は、無線機器の識別子（例えば、ＵＥ＿ＩＤ）により決定される値である。このとき、ＰＯを決定するために使われた無線機器の識別子（例えば、ＵＥ＿ＩＤ）を細分化してＷＵＳＯウィンドウを設定することができる。例えば、無線機器の識別子（例えば、ＵＥ＿ＩＤ）に基づいてＷＵＳＯウィンドウを決定するｎｗ＿ｏｆｆｓｅｔの値は、以下のような数式で定義されることができる。
【０１３２】
【数１】
0006882475.tif 000003
【０１３３】
このとき、ｆ（ｘ）は、ｎｗ＿ｏｆｆｓｅｔの値とｘを対応させる関数であり、事前に定義されたテーブルのような形態で存在できる。このとき、αは、特定の定数値であって、無線機器の識別子（例えば、ＵＥ＿ＩＤ）を有する無線機器をα個の細部グループに分けるための目的として使われることができる。このとき、αは、上位層シグナル及び／またはＷＵＳを利用して表現される情報を介して指示されることができる。
【０１３４】
または、ｎｗ＿ｏｆｆｓｅｔの値は、ＷＵＳに含まれている情報を介して指示されることもできる。このとき、指示されたｎｗ＿ｏｆｆｓｅｔの値は、以後無線機器がモニタリングすべきＷＵＳＯを動的に制御するための目的である。例えば、ＷＵＳに含まれているｎｗ＿ｏｆｆｓｅｔに対する情報がＡである場合、これに基づいてＷＵＳＯを決定するｎｗ＿ｏｆｆｓｅｔの値は、以下のような数式で定義されることができる。
【０１３５】
【数２】
0006882475.tif 000004
【０１３６】
このとき、ｆ（ｘ）は、ｎｗ＿ｏｆｆｓｅｔの値とｘを対応させる関数であり、事前に定義されたテーブルのような形態で存在できる。
【０１３７】
前記定義されたｎｗ＿ｏｆｆｓｅｔの値は、有効なサブフレームのみを基準にしてカウント（ｃｏｕｎｔ）されることができる。これは有効でないサブフレームの個数によってＷＵＳＯとＰＯとの間のギャップが変わり、またはＷＵＳの十分の繰り返しが得られない場合を防止するための目的である。または、前記定義されたｎｗ＿ｏｆｆｓｅｔの値は、絶対的な時間単位にカウント（ｃｏｕｎｔ）されることができる。これは有効な／有効でないサブフレーム区分無しで全てのサブフレームをカウント（ｃｏｕｎｔ）することである。これは、有効でないサブフレームの個数によってＷＵＳＯの開始サブフレーム位置が変化することで、ＷＵＳモニタリングとページングメッセージの受信までの時間が過度に長くなることを防止するための目的である。
【０１３８】
ＷＵＳＯウィンドウが発生する周期は、ＰＯが発生する周期と異なる値を有することができる。もし、ＷＵＳＯウィンドウが発生する周期がＴｐｅｒｉｏｄに定義されている場合、ＷＵＳＯは、Ｔｐｅｒｉｏｄ毎に発生するＰＯのオフセットの位置に発生するように決まることができる。例えば、Ｔｐｅｒｉｏｄの大きさは、ｅＤＲＸ値と同じ値を有することができる。この場合、ｅＤＲＸの大きさほどスリープモード（ｓｌｅｅｐｉｎｇ  ｍｏｄｅ）にある無線機器が活性モード（ａｃｔｉｖｅ  ｍｏｄｅ）を始める時、該当活性モード区間でＮＰＤＣＣＨのモニタリングの実行可否を決定するための目的として使われることができる。もし、該当ＷＵＳＯからウェイクアップ（ｗａｋｅ  ｕｐ）が検出されない、またはスリープ（ｇｏ  ｔｏ  ｓｌｅｅｐ）命令が検出された場合、無線機器は、該当活性モード区間でＮＰＤＣＣＨモニタリングを実行しない。
【０１３９】
もし、オフセットにより決定されたＷＵＳの開始サブフレーム位置が有効でないサブフレームである場合、ＷＵＳの開始サブフレーム位置は、オフセットに指定されたサブフレーム位置以後に登場する最も近い有効なサブフレーム位置に決められる。または、開始サブフレーム位置は、同じになるように定めて、その代わりに有効でないサブフレーム区間をパンクチャリングするように決まることができる。
【０１４０】
説明した内容は、オフセットに基づいてＷＵＳＯウィンドウの終了時点（または、ｅｎｄｉｎｇ  ｏｃｃａｓｉｏｎ）が決定されるように変形されることができる。これはＷＵＳＯウィンドウとＰＯとの間のギャップを常に一定の大きさに保証するための目的である。このとき、ギャップの大きさは、絶対的な時間であり、これは有効な／有効でないサブフレームの区分無しで全てのサブフレームの個数をカウント（ｃｏｕｎｔ）することである。
【０１４１】
前記提案した方法の案は、開始サブフレームを設定する開始オフセットと終了サブフレームを設定する終了オフセットが同時に使われるように変形されることができる。具体的に、図１２ｂを参照して説明すると、下記の通りである。
【０１４２】
図１２ｂは、第２の開示の第１の方法の案の変形例を示す。
【０１４３】
図１２ｂに示すように、ＷＵＳＯウィンドウは、前記開始オフセット（ｎｗ＿ｏｆｆｓｅｔ＿ｓｔａｒｔ）が指示する位置から前記終了オフセット（ｎｗ＿ｏｆｆｓｅｔ＿ｅｎｄ）が指示する位置までの区間に決められる。このとき、ＷＵＳの送信は、ＷＵＳＯの開始サブフレーム位置を基準にして始まり、または終了サブフレーム位置を基準にして終わるように送信されることができる。もし、ＷＵＳＯの区間内でＷＵＳの繰り返しを実行するための有効なサブフレームの個数が不十分な場合、ＷＵＳは、全ての繰り返しを使用せずに、可能な大きさほど送信されるように決まることができる。
【０１４４】
II−２：第２の開示の第２の方法の案
【０１４５】
ＷＵＳＯを決定する他の方法の案として、上位層シグナルにより決定された固定された位置を使用するように決まることができる。例えば、ＷＵＳＯの位置は、ＳＩＢを介してビットマップ（ｂｉｔ  ｍａｐ）形態で指示されることができる。この場合、ＷＵＳＯに該当するサブフレームは、有効でないサブフレームに設定されることができるという長所がある。他の例として、ＷＵＳＯの位置は、特定周期毎に登場するようにＳＩＢを介して指示されることができる。この場合、ＷＵＳＯに該当する位置を表現するオーバーヘッド（ｏｖｅｒｈｅａｄ）を減らすことができるという長所がある。前記提示された二つの例示は、各々、独立に使われることもでき、または組み合わせた方法の案として使われることもできる。
【０１４６】
上位層シグナルを介して指示されたＷＵＳＯの可能な位置は、無線機器の識別子（例えば、ＵＥ＿ＩＤ）別に細分化して選択的に使われることができる。例えば、上位層シグナルを介して指示されたＷＵＳＯの可能な位置が合計Ｎ個である場合、無線機器の識別子（例えば、ＵＥ＿ＩＤ）は、合計Ｍ個の細部グループに分けて使われることができる。このとき、Ｍの大きさは、Ｎより小さい値であって、Ｎを任意の整数に分けた値が使われることができる。このとき、各細部グループには同じ数のＷＵＳＯがマッピングされるように決まることができる。例えば、Ｎ個の使用可能なＷＵＳＯの位置が存在する時、ｎｗ＿ＨＬＳ番目の位置をモニタリングする細部グループは、以下のような数式の条件を満たすように決まることができる。
【０１４７】
【数３】
0006882475.tif 000005
【０１４８】
このとき、Ｍの値は、上位層シグナル及び／またはＷＵＳを利用して表現される情報を介して無線機器に指示されることができる。
【０１４９】
上位層シグナルを介して指示されたＷＵＳＯの可能な位置は、無線機器の識別子（例えば、ＵＥ＿ＩＤ）別に細分化して選択的に使われることができる。例えば、上位層シグナルを介して表現されるビットマップの大きさがＮｂｍである場合、無線機器は、合計Ｍ個の細部グループに分けて使われることができる。このとき、Ｍの大きさは、Ｎより小さい値であって、Ｎを任意の整数に分けた値が使われることができる。このとき、各細部グループには互いに異なる数のＷＵＳＯがマッピングされることができる。例えば、Ｎｂｍの大きさのビットマップが使われる時、ｎｗ＿ＨＬＳ番目の位置をモニタリングする細部グループは、以下のような数式の条件を満たすように決まることができる。
【０１５０】
【数４】
0006882475.tif 000006
【０１５１】
このとき、Ｍの値は、上位層シグナル及び／またはＷＵＳを利用して表現される情報を介して無線機器に指示されることができる。
【０１５２】
図１３は、第２の開示の第２の方法の案を示す例示図である。
【０１５３】
図１３を参照すると、第２の開示の第２の方法の案によって、ＷＵＳを使用してページングウィンドウが決定される方法の案が示されている。しかし、図示されたものと違って、ＷＵＳを利用する他の形態の方法の案も可能である。
【０１５４】
II−３：第２の開示の第３の方法の案
【０１５５】
II−３−１：第２の開示の第３の方法の案のうち第１の例示
【０１５６】
ＷＵＳＯを決定する他の方法の案として、既存のＰＯの定義を再使用することができる。このとき、ＰＯとして決定された位置で、一部はＷＵＳＯとして使われ、残りの一部はＰＯとして使われることができる。このような方法の案は、第１の方法の案の特殊ケースと見ることができる。もし、第１の方法の案のように、同じＰＯを共有するグループ内で細分化無しで単一ＷＵＳＯのみが使われる場合、ｎｗ＿ｏｆｆｓｅｔの値は０に定める方法の案と同じ効果を有する。もし、第１の方法の案のように、同じＰＯを共有するグループ内に細分化を適用する場合、ｎｗ＿ｏｆｆｓｅｔの値は、ＰＯの周期ページングＤＲＸの整数倍の値のうちいずれか一つに決められる。例えば、ＷＵＳＯを決定するｎｗ＿ｏｆｆｓｅｔの値は、以下のような数式で定義されることができる。
【０１５７】
【数５】
0006882475.tif 000007
【０１５８】
このとき、αは、特定の定数値であって、無線機器の識別子（例えば、ＵＥ＿ＩＤ）を有する無線機器を細分化する細部グループの個数を表現する。このとき、ｃの値は、特定の定数値であって、任意の整数値を有することができ、上位層パラメータ及び／またはＷＵＳを利用して表現される情報を介して指定されることができる。または、前記ｃの値は、事前に定義された固定値である。
【０１５９】
もし、ＷＵＳＯとして使われる位置が他の目的のチャネルまたはサブフレームと衝突が発生する場合、ＷＵＳＯは、次のＰＯの位置に延期されるように決まることができる。
【０１６０】
説明した方法の案が適用される場合、無線機器は、ＷＵＳＯに指定されたＰＯでＷＵＳの検出とページングの検出を両方とも試みることができる。これは基地局がＷＵＳＯに指定された位置でＷＵＳを送らずにページングを送信することができるようにすることによって、柔軟性（ｆｌｅｘｉｂｉｌｉｔｙ）を保証するための目的である。
【０１６１】
説明した第１の例示は、ＲＲＣ接続モードにある無線機器のために柔軟性（ｆｌｅｘｉｂｉｌｉｔｙ）を保証するための目的である。
【０１６２】
図１４は、第２の開示の第３の方法の案のうち第１の例示を示す例示図である。
【０１６３】
図１４を参照すると、第２の開示の第３の方法の案のうち第１の例示によって、ＷＵＳを使用してページングウィンドウが決定される方法の案が示されている。しかし、図示されたものと違って、ＷＵＳを利用する他の形態の方法の案も可能である。
【０１６４】
II−３−２：第２の開示の第３の方法の案のうち第２の例示
【０１６５】
既存のＰＯをＷＵＳＯとして使用する方法の案で、ＷＵＳＯが登場する位置は、上位層シグナルにより決定された固定された位置を使用するように決まることができる。例えば、ＷＵＳＯの位置は、ＳＩＢを介してビットマップ形態で指示されることができる。この方法の案は、第２の方法の案の特殊ケースと見ることができる。このとき、ビットマップが表現するサブフレームインデックスは、ＰＯに設定されたサブフレームのみを対象に決められる。このとき、ビットマップで表現可能なサブフレームの個数がＮＰＯである場合、各ビットは、ＮＰＯ個のＰＯを各々表現する。もし、第２の方法の案のように同じＰＯを共有する無線機器のグループ内に細分化を適用する場合、ｎｗ＿ｏｆｆｓｅｔ番目のＰＯをＷＵＳＯとして使用する細部グループは、以下のような数式の条件を満たすように決まることができる。
【０１６６】
【数６】
0006882475.tif 000008
【０１６７】
このとき、Ｍの値は、上位層シグナル及び／またはＷＵＳを利用して表現される情報を介して無線機器に指示されることができる。
【０１６８】
前記方法の案が適用される場合、無線機器は、ＷＵＳＯに指定されたＰＯでＷＵＳの検出とページングの検出を両方とも試みることができる。これは基地局がＷＵＳＯに指定された位置でＷＵＳを送らずにページングを送信することができるようにすることによって、柔軟性を保証するための目的である。
【０１６９】
図１５は、第２の開示の第３の方法の案のうち第２の例示を示す例示図である。
【０１７０】
図１５を参照すると、第２の開示の第３の方法の案のうち第２の例示によって、ＷＵＳを使用してページングウィンドウが決定される方法の案が示されている。しかし、図示されたものと違って、ＷＵＳを利用する他の形態の方法の案も可能である。
【０１７１】
II−３−３：第２の開示の第３の方法の案のうち第３の例示
【０１７２】
既存のＰＯをＷＵＳＯとして使用する方法の案で、ＷＵＳＯが登場する位置は、基地局によって自由に設定されるように決まることができる。この方法の案では、無線機器は、全てのＰＯでＷＵＳＯが可能であると判断する。したがって、無線機器は、ＰＯでＷＵＳをモニタリングし、またはページングをモニタリングする動作を両方とも実行し、または一つの動作を選択することができる。これはＷＵＳを利用してページングと関連した特定情報の変化を無線機器の特定グループに指示するための目的である。このとき、ＷＵＳＯのための別途のリソースを割り当てずに、既に設定されているＰＯを活用するように決まることができる。
【０１７３】
図１６は、第２の開示の第３の方法の案のうち第３の例示を示す例示図である。
【０１７４】
図１６を参照すると、第２の開示の第３の方法の案のうち第３の例示によって、ＷＵＳを使用してページングウィンドウが決定される方法の案が示されている。
【０１７５】
説明した第１の例示、第２の例示、そして第３の例示が使われてＷＵＳがＤＣＩを利用した物理チャネルに設計される場合、該当ＤＣＩフォーマットのビットの大きさは、ＷＵＳＯが使用するＰＯに送信されるＮＰＤＣＣＨのＤＣＩフォーマットビットの大きさのような値を有するように決まることができる。これは該当ＷＵＳＯで無線機器がブラインドデコーディングの増加無しでＷＵＳと既存のＮＰＤＣＣＨを両方ともモニタリングできるようにするための目的である。
【０１７６】
II−４：第２の開示の第４の方法の案
【０１７７】
ＷＵＳＯは、同期信号が送信されるサブフレームのようなサブフレーム、または隣接したサブフレームで送信されるように決まることができる。これはＷＵＳＯを取得する過程で時間同期の正確度を高め、またはＷＵＳＯモニタリングをする動作と同期信号を取得する動作との間に発生できる遅延を減らすための目的である。例えば、ＷＵＳＯは、ＰＳＳまたはＳＳＳが送信されるサブフレームに形成されるように決まることができる。他の例として、ＷＵＳＯは、ＮＰＳＳまたはＮＳＳＳが送信されるサブフレームに隣接したサブフレームに形成されるように決まることができる。
【０１７８】
前記提案された方法の案で、ＷＵＳＯの位置は、ＷＵＳＯに該当するＰＯ以前に最も近いＰＳＳ／ＳＳＳ（または、ＮＰＳＳ／ＮＳＳＳ）と同じまたは隣接したサブフレームを選択するように決まることもできる。これは同期信号の取得とＷＵＳＯモニタリング、そしてページングモニタリングに消費される時間遅延を最小化するための目的である。
【０１７９】
II−５：第２の開示の第５の方法の案
【０１８０】
ＴＤＤ構造が適用される場合、ＷＵＳＯの位置は、スペシャル（ｓｐｅｃｉａｌ）サブフレームの位置を使用することができる。
【０１８１】
この場合、ＷＵＳＯの適用（または、設定）可否は、スペシャルサブフレーム設定情報によって決定されることができる。このとき、無線機器は、スペシャルサブフレームの設定情報を介してＷＵＳＯが設定／適用されているかどうかを判断することができる。例えば、ＤｗＰＴＳの長さが短いスペシャルサブフレーム設定の場合、無線機器は、基地局がＷＵＳを送信しないと決定できる。そして、前記無線機器は、ＤｗＰＴＳの長さが長いスペシャルサブフレーム設定の場合、ＷＵＳＯが設定されていると決定できる。
【０１８２】
スペシャルサブフレームがＷＵＳＯの用途で設定される場合、ＷＵＳＯは、特定周期に設定されるように決まることができる。そのために、基地局は、開始位置と周期に対する情報を無線機器に指示することができる。前記指示は、ＳＩＢやＲＲＣシグナルのような上位層シグナルを介して実行されることができる。このとき、該当する情報は、無線機器特定的にまたは無線機器のグループ特定的に決定されることができる。このとき、決定されるＷＵＳＯの位置は、基地局が知らせた情報と無線機器が自分の識別子（例えば、ＵＥ  ＩＤ）に基づいてＷＵＳＯの位置を推定することができる。または、ＷＵＳＯ用途で使われるスペシャルサブフレームは、特定スペシャルサブフレームのみを含むことができる。そのために、サブフレーム番号や無線フレーム番号を指示する方法の案を使用し、またはビットマップのような形態を使用することができる。このとき、該当する情報は、無線機器特定的にまたは無線機器のグループ特定的に決定されることができる。
【０１８３】
もし、一つの無線フレームに二つのスペシャルサブフレームが存在し、そのうち一つのみがＷＵＳＯとして使われる場合、該当位置は、同期信号が送信される位置に従属的に（ｄｅｐｅｎｄｅｎｔ）決定されることができる。例えば、ＷＵＳの検出以前にダウンリンク同期信号を取得すべき場合、ＷＵＳＯの位置は、ＳＳＳ（または、ＮＳＳＳ）の次のサブフレームのうち最も近いスペシャルサブフレーム位置に決められる。これは同期信号の取得以後、ＷＵＳをモニタリングするまで消費される時間遅延を最小化するための目的である。その逆の例として、ＷＵＳは、正確なダウンリンク同期信号がなくても検出可能であるが、ＷＵＳ以後ダウンリンクチャネルをモニタリングするために正確にダウンリンク時間同期を合わせる必要がある場合、ＷＵＳＯの位置は、ＳＳＳ（または、ＮＳＳＳ）以前のサブフレームのうち最も近いスペシャルサブフレームの位置に決められる。これはＷＵＳの取得以後ダウンリンク同期信号を取得するまで消費される時間遅延を最小化するための目的である。
【０１８４】
スペシャルサブフレームがＷＵＳＯ用途で使われる場合、無線機器は、自分のカバレッジ拡張水準によってＷＵＳをモニタリングするかどうかを決定することができる。このとき、モニタリング可否を決定する他の条件として、スペシャルサブフレーム設定情報が使われることができる。例えば、無線機器は、自分のＲＳＲＰを介して自分のカバレッジ拡張水準が特定の閾値以上と判断する場合、ＷＵＳＯモニタリングをあきらめることができる。このとき、閾値は、スペシャルサブフレーム設定によって変わることができる。これはスペシャルサブフレームの長さが制約されて繰り返し受信に制約がある状況で、高い水準のカバレッジ拡張領域に位置する無線機器がＷＵＳの取得が難しい場合を対比するための目的である。
【０１８５】
III．第３の開示：ページングウィンドウまたはＰＯに対する指示
【０１８６】
本節ではＷＵＳを無線機器がＮＰＤＣＣＨモニタリングを実行するページングウィンドウ及び／またはＰＯを指示するための目的として使用する方法の案を提案する。無線機器は、自分に決まったＷＵＳＯをモニタリングし、これを介して自分がモニタリングすべきページングウィンドウ及び／またはＰＯが存在するかどうかを確認することができる。このとき、ページングウィンドウは、無線機器がページングメッセージを読み取るために、ＰＯをモニタリングを実行する区間に定義する。この場合、ＷＵＳは、無線機器のウェイクアップ（ｗａｋｅ  ｕｐ）動作を指示するための目的として使われる。または、ページングウィンドウは、無線機器がＰＯのモニタリングを実行しないようにする区間として使われることもできる。この場合、ＷＵＳは、無線機器のスリープ（ｇｏ  ｔｏ  ｓｌｅｅｐ）動作を指示するための目的として使われる。一つのページングウィンドウには一つ以上のＰＯが存在できる。無線機器は、ページングウィンドウ内で発生可能なＰＯを対象にしてＮＰＤＣＣＨに対するモニタリングを実行する。
【０１８７】
ページングウィンドウが設定される位置は、ＷＵＳＯから特定ギャップ以後になるように決まることができる。このギャップは、無線機器がＷＵＳＯを検出してページングのモニタリングを準備するための目的である。または、ＷＵＳＯとＰＯのスケジューリングに対して柔軟性を与えるための目的である。このとき、ギャップの大きさは、上位層シグナルを介して決まることができ、もし、ない場合、基本（ｄｅｆａｕｌｔ）値によって決まることができる。または、ギャップの大きさは、ＷＵＳに含まれている情報を介して指示されることもできる。例えば、このギャップは、ダウンリンクサブフレームを基準にしてｎｇａｐ＿ｗ＿ｔｏ＿ｐサブフレームになるように決まることができる。ページングウィンドウの場合、有効でないサブフレームが中間に含まれても、その区間は、変動されないように決まることができる。
【０１８８】
無線機器は、ページングウィンドウ以外の区間ではＰＯの発生を期待しない。これは実際に基地局がページングメッセージを送信することができる区間を制限することで、無線機器が実行するブラインドデコーディングの負担を減らすための目的である。ページングウィンドウは、ＷＵＳＯがモニタリングされた以後から（または、ＷＵＳＯがモニタリングされた以後ギャップが適用された時点から）、次のＷＵＳＯが発生する以前までの区間に決められる。この場合、無線機器は、別途のシグナルの取得無しでページングウィンドウを決定することができるという長所がある。または、ページングウィンドウは、ＷＵＳＯがモニタリングされた以後から（または、ＷＵＳＯがモニタリングされた以後ギャップが適用された時点から）上位層パラメータを介して設定された区間を含むことができる。この場合、無線機器がモニタリングすべきＰＯの位置を制限することによって、ブラインドデコーディングによる電力消費を低くすることができるという長所がある。
【０１８９】
IV．第４の開示：ＤＲＸサイクルの制御
【０１９０】
本節では、ＷＵＳを無線機器がＮＰＤＣＣＨモニタリングを実行するページングＤＲＸサイクルを制御するための目的として使用する方法の案を提案する。無線機器は、自分に決まったＷＵＳＯをモニタリングし、これを介して基地局が実際にＮＰＤＣＣＨを送信するＰＯの周期を決定することができる。これは特定区間の間に、特定無線機器または無線機器の特定グループのページング需要が、他の無線機器に比べて多い場合、全体セル観点でのページングＤＲＸサイクルは維持した状態で一部無線機器のＤＲＸサイクルを減らすための目的である。または、それに対し、特定区間の間に、特定無線機器または無線機器の特定グループのページング需要が、他の無線機器に比べて少ない場合、全体セル観点でのページングＤＲＸサイクルは維持した状態で一部無線機器のＤＲＸサイクルを伸ばすための目的である。
【０１９１】
例えば、ＰＯの周期がＴＰＯに決定されている状況でＷＵＳを検出した無線機器は、新しいＰＯ周期ＴＰＯ＿ｎｅｗを使用するようにすることができる。このとき、ＴＰＯ＿ｎｅｗは、ＴＰＯの定数倍の形態できめられ、この場合は以下のような数式に従うことができる。
【０１９２】
【数７】
0006882475.tif 000009
【０１９３】
このとき、ｃの値は、任意の定数値であって、上位層シグナル及び／またはＷＵＳを利用して表現される情報を介して指定されることができる。または、Ｃの値は、固定されている値である。または、ＴＰＯ＿ｎｅｗ値は、上位層シグナル及び／またはＷＵＳを介して表現される情報を介して指定されることができる。または、ＴＰＯ＿ｎｅｗ値は、あらかじめ決まっている固定値である。
【０１９４】
本節で提案する方法の案を使用する場合、ＷＵＳを検出した以後新しいＴＰＯ＿ｎｅｗが適用される区間は、ＷＵＳを検出した以後一定サブフレーム以内に制限されることができる。このとき、この区間は、上位層パラメータに決められる。または、この区間の大きさは、ＷＵＳに含まれている情報を介して指示されることもできる。これは無線機器がＷＵＳの検出に失敗しても一定期間以後には再び元来の周期ＴＰＯを適用して正常な動作を実行することができるようにするための目的である。または、ＴＰＯ＿ｎｅｗが適用される区間は、ＷＵＳを検出した時点で決まったギャップほどの遅延を加算した以後、一定サブフレーム以内に制限されることができる。
【０１９５】
図１７は、第４の開示による方法の案を示す例示図である。
【０１９６】
ＷＵＳが検出されたサブフレームインデックスがｎとする。そして、図１７に示すように、ＷＵＳ以後ＰＯをモニタリングする以前まで設定されたギャップの大きさがｎｇａｐ＿ｗ＿ｔｏ＿ｐであり、ＴＰＯ＿ｎｅｗが適用されるサブフレーム区間の長さがｎＰＯ＿ｎｅｗである場合、新しい周期が始まる時点はｎ＋ｎｇａｐ＿ｗ＿ｔｏ＿ｐであり、終わる時点はｎ＋ｎｇａｐ＿ｗ＿ｔｏ＿ｐ＋ｎＰＯ＿ｎｅｗに決められる。もし、この区間が定義されない、または無線機器が該当情報を取得することができない場合、無線機器は、該当区間を次のＷＵＳが検出される時点に決める。
【０１９７】
本節で提案する方法の案を使用する時、もし、ＷＵＳＯの位置がＰＯに相対的な位置に決定される場合、ＷＵＳＯの位置は、本来のＰＯ周期ＴＰＯのみを基準にして決定されることができる。これは、もし、無線機器がＷＵＳのモニタリングに失敗しても、次の順番のＷＵＳＯをミス（ｍｉｓｓｉｎｇ）しないようにするための方法の案である。または、同じ目的の他の方法の案として、ＷＵＳＯの位置は、ＴＰＯとＴＰＯ＿ｎｅｗの値の中から大きい値を基準にして選択されることができる。
【０１９８】
本節で提案する方法の案は、無線機器が一定期間ページングモニタリングを実行しないように指示するための目的として応用されることができる。この場合、ＴＰＯ＿ｎｅｗを無限と見なし、または基地局でＴＰＯ＿ｎｅｗの値が適用される区間ｎＰＯ＿ｎｅｗより大きい値にＴＰＯ＿ｎｅｗを設定する場合、同じ効果を有する。または、無線機器が自分に該当するＷＵＳＯでＷＵＳを検出する場合、あらかじめ決まった区間の間にページングをモニタリングしない。無線機器がページングモニタリングを実行しない区間内にＷＵＳＯが発生した場合、ＷＵＳをモニタリングするように決まることができる。これはページングモニタリングに対する情報が変更された場合、これを反映するための目的である。ページングモニタリングを実行しない区間は、上位層シグナルを介して決まることができる。または、ページングモニタリングを実行しない区間は、ＷＵＳに含まれている情報を介して指示されることもできる。例えば、該当区間は、連続されたサブフレーム個数で表現されることができる。または、ＰＯの個数で表現されることもできる。もし、無線機器が該当情報を取得することができない、または設定される情報がない場合には、あらかじめ決まった固定された値を基準にして動作できる。
【０１９９】
Ｖ．第５の開示：追加的なＰＯ指示
【０２００】
本節では無線機器にＰＯを一時的に追加するためにＷＵＳを使用する方法の案を提案する。このとき、追加されるＰＯは、無線機器が既に有していたセル共通のＰＯの決定方法の案と独立な方法の案を有することができる。例えば、セル共通のＰＯに決定されたＰＯのサブフレームインデックスがｎｃを基準にして周期がＴｃと仮定する時、追加されるＰＯのサブフレームインデックスは、ｎａｄｄを基準にして周期Ｔａｄｄを有することができる。これは一時的に特定無線機器または無線機器の特定グループに対するページング需要が増加する状況でＰＯの柔軟性を保証するための目的である。
【０２０１】
無線機器がＷＵＳを検出した以後、追加的なＰＯが始まる位置は、ＷＵＳが検出されたサブフレームで一定の大きさのサブフレームの後である。このとき、ＷＵＳが検出されたサブフレームから追加的なＰＯのサブフレーム位置までの間隔は、上位層シグナルを介して設定されることができる。または、ＷＵＳが検出されたサブフレームから追加的なＰＯのサブフレーム位置までの間隔は、ＷＵＳに含まれている情報を介して指示されることもできる。
【０２０２】
本節で提案する方法の案を使用する場合、ＷＵＳを検出した以後追加されるＰＯをモニタリングする区間は、ＷＵＳを検出した以後一定サブフレーム以内に制限されることができる。このとき、この区間は、上位層パラメータに決められる。または、この区間は、ＷＵＳに含まれている情報を介して指示されることもできる。これは無線機器がＷＵＳの検出に失敗しても一定期間以後には再び元来のＰＯをモニタリングするようにするための目的である。または、無線機器が別途の解除（ｒｅｌｅａｓｅ）信号を受けなくても追加的なＰＯを自ら中断できるようにするための目的である。
【０２０３】
図１８は、第５の開示による方法の案を示す例示図である。
【０２０４】
図１８に示すように、追加的なＰＯが始まるサブフレームを指定するためのギャップがｎｓｔａｒｔ＿ａｄｄであり、追加的なＰＯがモニタリングされるサブフレーム区間の大きさがｎｄｕｒ＿ａｄｄに定義されている場合、ｎ０の位置で自分に該当するＷＵＳを検出した無線機器は、ｎ０＋ｎｓｔａｒｔ＿ａｄｄからｎ０＋ｎｓｔａｒｔ＿ａｄｄ＋ｎｄｕｒ＿ａｄｄまでのサブフレーム内で追加的なＰＯをモニタリングすることができる。
【０２０５】
本節で提案する方法の案によると、無線機器が追加的なＰＯを指示するＷＵＳを検出した場合、既存のＰＯはモニタリングせずに新しいＰＯのみをモニタリングするようにすることもできる。これはスケジューリングの柔軟性の観点で、特定無線機器または無線機器の特定グループに有利なＰＯの位置が発生した場合、無線機器のブラインドデコーディングの増加を最小化しながらＰＯを再設定するための目的である。
【０２０６】
VI．第６の開示：ＷＵＳ設計
【０２０７】
生成されたＷＵＳを送信するために使われる無線リソースは、一つ以上のＲＥが集まって構成されたブロック（ｂｌｏｃｋ）単位に定義されることができる。以下、説明では一つのＷＵＳが使用するブロックをＷＵＳＢ（ｗａｋｅ  ｕｐ  ｓｉｇｎａｌ  ｂｌｏｃｋ）という。このとき、もし、ＷＵＳがシーケンスの構造を有している場合、ＷＵＳＢは、一つ以上のシーケンスがグループ化された形態である。
【０２０８】
VI−１：第６の開示の第１の方法の案：ＷＵＳＢの繰り返しサイズ
【０２０９】
本節ではＷＵＳＢが繰り返されるサイズを決定する方法の案を含む。ＷＵＳＢの繰り返しサイズは、下記のような方法の案のうち一つを使用することができる。以下、説明ではＷＵＳＢの繰り返し単位を決定する方法の案で記述されているが、時間ドメイン領域でＷＵＳが送信される区間を決定する方法の案でも同一に使われることができる。
【０２１０】
（第１の具体的な実現例）ＷＵＳＢの繰り返しの大きさは、ページングのために設定された上位層パラメータにより決定されることができる。これはＷＵＳを検出した無線機器がページングも検出できるようにするための目的である。ＷＵＳＢの繰り返しの大きさは、ページングのために定義された上位層パラメータを介してマッピングされる特定の正の整数値である。例えば、ＷＵＳＢの繰り返しサイズは、ページングの繰り返しサイズのような値を有することができる。他の例として、ＮＢ−ＩｏＴの場合、ＷＵＳＢの繰り返しサイズは、ページングのために設定されたＲｍａｘの関数に決定されることができる。
【０２１１】
（第２の具体的な実現例）ＷＵＳＢの繰り返しサイズをページングのために設定された繰り返しと同一に使用する方法の案を使用しても、ＷＵＳＢの最大繰り返しサイズは、一定の大きさを超えないように決まることができる。これは無線機器がＷＵＳＢのモニタリングに必要な電力消費を減らすための目的である。
【０２１２】
（第３の具体的な実現例）ＷＵＳＢの繰り返しの大きさは、ＷＵＳのために設定された上位層シグナルを介して指示されることができる。例えば、ＳＩＢのようにＲＲＣアイドル状態（ＩＤＬＥ  ｓｔａｔｅ）の無線機器が取得できるシグナルを介して該当情報が送信されることができる。
【０２１３】
（第４の具体的な実現例）ＷＵＳＢの繰り返しサイズは、ＷＵＳのために設定された上位層パラメータとページングのために設定された上位層パラメータとの組み合わせにより決定されることができる。これはＷＵＳの繰り返し水準を設定するための情報のオーバーヘッドを減らしながら、適した繰り返し水準をサポートするための目的である。これを適用する具体的な方法の案は、下記二つのオプションのうち一つである。
【０２１４】
（第４の具体的な実現例のうちオプション１）ＷＵＳＢの繰り返しを設定する上位層パラメータがＮ個のビットで表現される場合、Ｎ個のビットを利用して表現される繰り返し回数（ｒｅｐｅｔｉｔｉｏｎ  ｎｕｍｂｅｒ）は、ページングのために使われる繰り返し回数により決定されることができる。例えば、ＷＵＳＢの繰り返しを設定する上位層パラメータを表現するＮ個のビットに対応される繰り返し回数の値が、テーブルのような形態で存在すると仮定する。前記テーブルは、ページングの繰り返し回数を決定するＲｍａｘの値が属する区間によって互いに異なる。
【０２１５】
（第４の具体的な実現例のうちオプション２）ＷＵＳＢの繰り返しを設定する上位層パラメータがＮ個のビットで表現される場合、Ｎ個のビットを利用して解釈された値は、特定の正の整数値Ｒｍｐである。このとき、ページングの繰り返し回数を決定するために使われる上位層パラメータの値がＲｍａｘである場合、ＷＵＳＢの繰り返し値は、Ｒｍｎ＊Ｒｍａｘに決定されることができる。
【０２１６】
（第５の具体的な実現例）ＷＵＳの繰り返し水準は、搬送波別に異なるように設定されることができる。これは各搬送波別に可能な送信リソースが異なり、または無線チャネル環境が互いに異なるためである。例えば、アンカー搬送波の繰り返し水準と非アンカー搬送波の繰り返し水準は、互いに異なる。このとき、上位層シグナルを介して各搬送波の繰り返し水準を独立に設定する方法の案が使われることができる。または、非アンカー搬送波の繰り返し水準は、アンカー搬送波の倍数に指定されることができる。このとき、アンカー搬送波の繰り返し水準と倍数は、上位層シグナルに指示されることができる。または、各搬送波のＲｍａｘの値を互いに異なるように指定し、繰り返し水準が従属的に決定される場合、互いに異なるＷＵＳ繰り返し水準が決定されることができる。
【０２１７】
VI−２：第６の開示の第２の方法の案：ＷＵＳＢの大きさ
【０２１８】
本節ではＷＵＳＢの大きさが基地局により設定される方法の案に対して説明する。例えば、ＷＵＳがシーケンス形態である場合、ＷＵＳＢの大きさは、基地局が使用するシーケンスの長さにより決定されることができる。この場合、無線機器は、設定されたＷＵＳＢの大きさによって使われるシーケンスの長さを推定することができる。ＷＵＳＢの大きさは、下記のような方法の案のうち一つまたは一つ以上の具体的な実現例を組み合わせて使用することができる。
【０２１９】
（第１の具体的な実現例）ＷＵＳＢの大きさは、ＷＵＳＢ（または、ページング）の繰り返しサイズ、またはＷＵＳＢ（または、ページング）の繰り返しサイズを設定する上位層パラメータの関数に決定されることができる。例えば、ＮＢ−ＩｏＴの場合、ＷＵＳＢの大きさは、ページングのために設定されたＲｍａｘの関数に決定されることができる。
【０２２０】
（第２の具体的な実現例）ＷＵＳＢの大きさは、ＷＵＳＢの大きさのために設定された上位層パラメータを介して決定されることができる。例えば、ＲＲＣアイドル状態（ＩＤＬＥ  ｓｔａｔｅ）の無線機器が取得できるＳＩＢのようなシグナルを介して該当情報が送信されることができる。
【０２２１】
（第３の具体的な実現例）基地局は、互いに異なる大きさのＷＵＳＢを全て運用できる。このとき、各ＷＵＳＢは、互いに異なる時間リソース及び／または周波数リソースを介して送信されることができる。各ＷＵＳＢに対する設定情報は、ＳＩＢのような上位層シグナルを介して無線機器に指示されることができる。この場合、無線機器は、自分に合うＷＵＳＢを選択して該当ＷＵＳが設定されたＷＵＳＯをモニタリングするように決まることができる。これは基地局が無線機器のチャネル状態を知らない状況で多様なカバレッジをサポートする同時に、無線機器の電力消費を減らすための目的である。
【０２２２】
VI−３：第６の開示の第３の方法の案：ＷＵＳにより表現される情報の量
【０２２３】
本節ではＷＵＳを介して表現できる情報の量が基地局により設定される方法の案に対して説明する。例えば、ＷＵＳがシーケンス形態で送信される場合、ＷＵＳを介して表現できる情報の量は、基地局が運用するシーケンスの個数により決定されることができる。この場合、無線機器は、基地局が設定したシーケンスの個数によってモニタリングするＷＵＳを推定することができる。また、他の例として、ＷＵＳがＤＣＩ形態で送信される場合、ＷＵＳを介して表現できる情報の量は、ＤＣＩで意味がある情報を表現するビットの個数である。この場合、無線機器は、基地局が設定したビットの大きさによってブラインドデコーディングを実行し、または意味がない情報を事前に約束された固定された値として認識してデコーディングを実行することができる。ＷＵＳを介して表現できる情報の量は、下記のような具体的な実現例のうち一つにより決まることができる。以下の説明ではシーケンスの個数を例として開示しているが、ＤＣＩのビット数のようにＷＵＳを介して表現できる情報の量を決定することができる他の方法の案にも一般的に適用可能であることは自明である。
【０２２４】
（第１の具体的な実現例）ＷＵＳに使われるシーケンスの個数は、ＷＵＳＢ（または、ページング）の繰り返しサイズ、またはＷＵＳＢ（または、ページング）の繰り返しサイズを設定する上位層パラメータの関数に決定されることができる。特徴的な例として、ＮＢ−ＩｏＴの場合、ＷＵＳＢの大きさは、ページングのために設定されたＲｍａｘの関数に決定されることができる。
【０２２５】
（第２の具体的な実現例）ＷＵＳに使われるシーケンスの個数は、ＷＵＳに使われるシーケンスの個数のために設定された上位層パラメータを介して決定されることができる。例えば、ＲＲＣアイドル状態（ＩＤＬＥ  ｓｔａｔｅ）の無線機器が取得できるＳＩＢのようなシグナルを介して該当情報が送信されることができる。
【０２２６】
（第３の具体的な実現例）ＷＵＳに使われるシーケンスの個数は、同じＷＵＳＯをモニタリングする無線機器グループの大きさにより決定されることができる。例えば、シーケンスの個数は、無線機器の識別子（例えば、ＵＥ＿ＩＤ）を決定する時、使われる上位層パラメータに基づいて決定されることができる。
【０２２７】
VII．第７の開示：具体的な実現の例示
【０２２８】
本明細書の第１の開示乃至第６の開示で説明した内容は、下記のように具体的に実現されることができる。下記では、説明の便宜上、ＮＢ−ＩｏＴシステムでＲＲＣアイドル状態にある無線機器に特定ダウンリンクチャネルの送信可否を知らせるための具体的な実現例を説明しているが、後述される内容は、データ送受信のために設計された他のシステムとＲＲＣ接続モードにある無線機器にも適用されることができる。
【０２２９】
提案される内容は、ＤＣＩに基づいて特定位置のＰＯを無線機器がモニタリングすべきかどうかを知らせるための目的として使われることができる。以下では、便宜上、前記目的として使われるＤＣＩを新規ＤＣＩと記述する。前記新規ＤＣＩは、ページングのためのＮＰＤＣＣＨと同じ検索空間（ｓｅａｒｃｈ  ｓｐａｃｅ）で検出されるように設定されることができる。これはＰＯで新規ＤＣＩが送信されることができることを意味する。したがって、無線機器は、自分のＤＲＸに合わせてモニタリングしようとする検索空間で前記新規ＤＣＩのためのＮＰＤＣＣＨと、そして前記ページングのためのＮＰＤＣＣＨを両方ともブラインドデコーディングできる。このとき、前記新規ＤＣＩは、ページングのためのＮＰＤＣＣＨのような大きさのフォーマットを有するように決まることができる。これは新規ＤＣＩが表現するビットの個数とページングのためのＤＣＩが表現するビットの個数が同じであることを意味する。これは無線機器が二つのＤＣＩを検出するために必要なブラインドデコーディングの回数を減らすための目的である。このとき、前記新規ＤＣＩは、ページングのためのＤＣＩと区分されることができるように、独立なＲＮＴＩを有するＣＲＣでマスキングされることができる。これは同じ検索空間で同じフォーマットの大きさを有する二つのＤＣＩを区分するための目的である。
【０２３０】
前記新規ＤＣＩ内には特定無線機器または無線機器の特定グループに対する情報が含まれることができる。この情報は、該当ＰＯをモニタリングする無線機器のうち前記新規ＤＣＩを受信すべき無線機器を区分するための目的である。もし、新規ＤＣＩの情報を介して、前記無線機器が自分の識別子または自分が属するグループの識別子を確認した場合、前記無線機器は、一定期間の間に発生するＰＯに対してモニタリングを実行することができる。もし、無線機器が自分の識別子ＩＤまたは自分が属するグループに対する識別子を確認することができない場合、無線機器は、次のＰＯを持続的にモニタリングできる。
【０２３１】
前記新規ＤＣＩには一つ以上のＰＯに対するモニタリング可否を指定する情報が含まれることができる。前記新規ＤＣＩを介してモニタリングを実行するように決定されたＰＯの位置では、前記無線機器は、ウェイクアップ（ｗａｋｅ  ｕｐ）動作を実行しなければならない。そして、前記新規ＤＣＩを介してモニタリングしないように決定されたＰＯに対しては、前記無線機器は、スリープ（ｇｏ  ｔｏ  ｓｌｅｅｐ）動作を実行しなければならない。このとき、前記情報は、ビットマップ形態で表現されることができ、前記新規ＤＣＩが検出されたＰＯ以後に連続されたＮ個のＰＯに対して、前記無線機器がモニタリングすべきかどうかを示すことができる。
【０２３２】
前記新規ＤＣＩは、具体的に下記のようなオプションのうち一つによって送信されることができる。
【０２３３】
（オプション１）送信可能なＰＯのうち、基地局が必要な時点を決定した後、前記新規ＤＣＩを送信する
【０２３４】
（オプション２）送信可能なＰＯのうち、あらかじめ決まった開始位置から一定周期に前記新規ＤＣＩが送信される
【０２３５】
（オプション３）送信可能なＰＯのうち、ビットマップに指示される発生（ｏｃｃａｓｉｏｎ）区間で前記新規ＤＣＩが送信される
【０２３６】
前記オプション１の場合、基地局が前記新規ＤＣＩが必要であると判断する時点にのみ送信できるという点で、スケジューリング柔軟性が増加するという長所がある。前記オプション２と前記オプション３の場合、基地局が該当位置を決定し、前記位置をＳＩＢやＲＲＣシグナルのような上位層シグナルを介して無線機器に知らせることができる。ただし、これによると、シグナリングオーバーヘッドが増加する。このとき、前記新規ＤＣＩが送信されることができるように決まったＰＯの場合にも、基地局は、前記新規ＤＣＩを送信しないこともある。これは該当位置では前記新規ＤＣＩが必要でない、または該当ＰＯがページングのためのＮＰＤＣＣＨ送信のために使われなければならないためである。また、ｅＤＲＸのように無線機器が長い間ＰＯをモニタリングしない区間では、前記オプション２及び前記オプション３の方法の案を介して指定されたように、たとえ、前記新規ＤＣＩ送信可能な位置としても、無線機器は、前記新規ＤＣＩをモニタリングしないこともある。これは無線機器の不要な電力消費を減らすための目的である。
【０２３７】
前記新規ＤＣＩが使用されるかどうかは、ＳＩＢやＲＲＣシグナリングのような上位層シグナルを介して指示されることができる。
【０２３８】
もし、前記無線機器が既に第１の新規ＤＣＩを介してＰＯに対するモニタリング可否を認知し、第１の新規ＤＣＩが指示するＰＯをモニタリングする場合にも、前記無線機器は、第２の新規ＤＣＩが存在するかどうかを持続的にモニタリングできる。このとき、第２の新規ＤＣＩをモニタリングするＰＯは、第１の新規ＤＣＩが指示したＰＯのみを対象にするように決まることができる。もし、前記無線機器が自分の識別子または自分が属するグループに対する第２の新規ＤＣＩを検出した場合、前記無線機器は、既に受信した第１の新規ＤＣＩに対する情報を捨て、第２の新規ＤＣＩによってモニタリングするＰＯを決定することができる。
【０２３９】
もし、新規ＤＣＩに対する情報を受信することができない、または新規ＤＣＩが指定したＰＯ区間が全て終わった場合、前記無線機器は、可能な全ての区間でＰＯのモニタリングを実行することができる。これは既存のモニタリングするＰＯの位置が既に使用した規則と同一に適用されることを意味する。（このとき、既に使用した規則とは、新規ＤＣＩを区分することができる能力がない無線機器がモニタリングするＰＯを決定する方式を意味する。）
【０２４０】
VIII．第８の開示
【０２４１】
前記説明したように、ＷＵＳは、基地局が特定無線機器または無線機器のグループに該当するＰＤＣＣＨ（またはＭＰＤＣＣＨ、またはＮＰＤＣＣＨ）が送信されることを知らせるための用途で使われることができる。
【０２４２】
他の一例として、ＷＵＳは、特定無線機器または無線機器のグループにＰＤＣＣＨ（またはＭＰＤＣＣＨ、またはＮＰＤＣＣＨ）が送信されないことを知らせるための用途で使われることもできる。
【０２４３】
同様に、ＷＵＳは、無線機器が期待するＰＤＳＣＨ（または、ＮＰＤＳＣＨ）の存在の有無を知らせるための用途で使われることもできる。例えば、別途のダウンリンクグラント（ＤＬ  ｇｒａｎｔ）情報を必要としないＰＤＳＣＨ（または、ＮＰＤＳＣＨ）送信の場合、ＷＵＳは、無線機器のＢＤを制限しながらＰＤＳＣＨの送信可否を知らせるための目的として使われることができる。
【０２４４】
他の例として、無線機器が特定情報の更新可否を確認するための目的としてＷＵＳが使われることもできる。具体的に、ＰＢＣＨ（または、ＮＰＢＣＨ）またはＳＩＢ１（または、ＳＩＢ１−ＢＲ、ＳＩＢ１−ＮＢ）等のシステム情報を送信するための送信チャネルの場合、該当情報の更新可否を知らせるための用途で使われることもできる。
【０２４５】
または、無線機器が特定ＮＰＤＣＣＨモニタリングをスキップ（ｓｋｉｐ）し、あらかじめ設定された情報によってダウンリンクの受信、またはアップリンクの送信をする動作を実行するための目的としてＷＵＳが使われることもできる。この場合、使われる設定情報は、ＳＩＢやＲＲＣシグナルのような上位層シグナルを介してあらかじめ指定されることができる。
【０２４６】
または、以前に受信したＤＣＩの情報をそのまま再使用するための目的として使われることができる。この場合、もし、無線機器が連続されたダウンリンクチャネルを受信する時、同じ形態のＤＬグラントを適用する場合に使われることができ、該当ＷＵＳを検出した無線機器は、関連されたＮＰＤＣＣＨのモニタリングをスキップ（ｓｋｉｐ）することができる。もし、無線機器が連続されたアップリンクチャネルを送信する時、同じ形態のＵＬグラントを適用する場合に使われることができ、該当ＷＵＳを検出した無線機器は、関連されたＮＰＤＣＣＨのモニタリングをスキップ（ｓｋｉｐ）することができる。
【０２４７】
本節では、以後、説明の便宜上、ＮＰＤＣＣＨのモニタリング可否を知らせるための用途でＷＵＳが使われる場合を例示して説明しているが、前記例示のような他の目的として使われる場合にも一般的に適用できることは自明である。
【０２４８】
VIII−１．第８の開示の第１の方法の案：物理信号ベースのＷＵＳ設計方法の案
【０２４９】
本節ではＷＵＳがシーケンス形態で生成される場合を考慮し、この時に使用可能な設計方法の案を提案する。
【０２５０】
ＷＵＳは、ＺＣ（Ｚａｄｏｆｆ−Ｃｈｕ）シーケンスとビットシーケンスに基づく形態で生成されることができる。このとき、ＷＵＳは、以下のような数式で表現されることができる。
【０２５１】
【数８】
0006882475.tif 000010
【０２５２】
このとき、ｎは、シーケンスのインデックスを表現する値であり、シーケンスの長さがＮである時、０〜Ｎ−１の値を有する。シーケンスの長さＮは、一つのＷＵＳが表現されるＲＥグループの単位により決定されることができる。例えば、Ｎの値は、使われるＯＦＤＭシンボルの大きさによって決定されることができる。もし、ＷＵＳシーケンスがｎｓｙｍ個のシンボルを介して表現され、一つのシンボルに含まれている副搬送波の数字がｎｓｕｂｃａｒｒｉｅｒである場合、ＷＵＳシーケンスの長さＮは、以下のように表現されることができる。
【０２５３】
【数９】
0006882475.tif 000011
【０２５４】
特徴的な例として、ＮＢ−ＩｏＴにおいて、ｎｓｕｂｃａｒｒｉｅｒの大きさは１２である。
【０２５５】
数式８において、ＮＺＣの大きさは、Ｎに近い素数に決定されることができる。もし、Ｎの大きさが一つのＷＵＳシーケンスに使われるＯＦＤＭシンボルの個数により決定される場合、ＮＺＣの大きさも使われるＯＦＤＭシンボルの個数により決定される関数形態になることができる。特徴的な例として、ＮＢ−ＩｏＴにおいて、Ｎの大きさが数式９に従い、ｎｓｕｂｃａｒｒｉｅｒ＝１２である場合、一つのＷＵＳを構成するシンボル数によって決定されるＮＺＣの大きさは、以下のテーブルに明示された値の中から選択して使用することができる。
【０２５６】
【表２】
0006882475.tif 000012
【０２５７】
例えば、ｎｓｙｍ＝１である場合、ＮＰＳＳの性能劣化を防止するために、ＮＺＣ＝１１を使わずにＮＺＣ＝１３を使用することができる。また、ＮＢ−ＩｏＴにおいて、ＷＵＳがＮＳＳＳシーケンスを再使用する場合、ｎｓｙｍ＝１１、Ｎ＝１３２、そしてＮＺＣ＝１３１の値を有するように選択できる。そして、ＮＢ−ＩｏＴでは動作モード別に使用することができるシンボルの個数が異なるため、動作モードによってＮＺＣが決定されるように定めることができる。数式８において、ｂｑ（ｎ）、θｒそしてｕｓは、情報を区分するための用途で使われることができる。この時に表現される情報は、無線機器ＩＤ（または、無線機器のグループＩＤ）、セルＩＤ、モニタリングするＮＰＤＣＣＨ区間、時間／周波数リソース割当、ＮＤＩ（Ｎｅｗ  ｄａｔａ  ｉｎｄｉｃａｔｉｏｎ）、システム情報更新インディケーション（ｉｎｄｉｃａｔｉｏｎ）、そしてｗａｋｅ  ｕｐまたはｓｌｅｅｐｉｎｇ可否などである。ｂｑ（ｎ）、θｆ、そしてｕｓは、各々、独立に、または一つ以上の方法が組み合わせて使われることができる。一つ以上の方法が組み合わせて使われる場合、各変数は別途の情報を表現することもでき、一つの情報を分けて表現するための目的として使われることもできる。もし、表現される情報に無線機器のＩＤ（または、無線機器のグループＩＤ）が含まれている場合、少なくとも一つのシーケンスは、該当シーケンス位置をモニタリングする全ての無線機器をｗａｋｅ  ｕｐ（または、ｇｏ  ｔｏ  ｓｌｅｅｐ）させるための目的として使われることができる。これはシステム情報更新のように全ての無線機器を対象にしてｗａｋｅ  ｕｐが実行されるべき場合や、二つ以上の無線機器のグループをｗａｋｅ  ｕｐ（または、ｇｏ  ｔｏ  ｓｌｅｅｐ）させるための目的である。または、システム情報更新を知らせるためのシーケンスが区分されて使われることができる。これはシステム情報更新が決定された場合、ＷＵＳを読み取ることができる無線機器の場合、ページングメッセージをモニタリングする動作を追加で実行せずに、ＷＵＳのみで更新情報を取得して電力消費及び遅延減少の利得を得るための目的である。
【０２５８】
ｂｑ（ｎ）は、１または−１の値を有するシーケンス形態である。この時に使われるシーケンスは、Ｈａｄａｍａｒｄ行列の行（ｒｏｗ）のうち一部を選択するように定めることができる。この時に使われるＨａｄａｍａｒｄ行列の大きさは、ＷＵＳシーケンスの長さＮと同じ値を有するように定めることができる。例えば、ＷＵＳがＮＳＳＳの形態に従い、ｂｑ（ｎ）を介して４個の情報が区分可能に設計する場合、ｂ０（ｎ）、ｂ１（ｎ）、ｂ２（ｎ）、そしてｂ３（ｎ）は、各々、１２８×１２８の大きさのＨａｄａｍａｒｄ行列の１、３２、６４、そして１２８番目の行（ｒｏｗ）を選択するように定めることができる。もし、ＷＵＳがＮＳＳＳの形態に従い、ｂｑ（ｎ）を介して８個の情報が区分可能に設計する場合、１２８×１２８の大きさのＨａｄａｍａｒｄ行列の１、１６、３２、４８、６４、８０、１１２、そして１２８番目の行（ｒｏｗ）を使用することができる。または、ｂｑ（ｎ）にはＰｓｅｕｄｏ−ｒａｎｄｏｍシーケンス系列が使われることができる。例えば、使われるｐｓｅｕｄｏ−ｒａｎｄｏｍシーケンスは、数式１１のようにＬＴＥ標準ＴＳ  ３６．２１１で定義されて使われるｌｅｎｇｔｈ−３１  Ｇｏｌｄシーケンスである。この場合、区分される情報は、ｘ２（ｎ）の初期化（ｉｎｉｔｉａｌｉｚａｔｉｏｎ）により決定され、以下の数式のように表現されることができる。
【０２５９】
【数１０】
0006882475.tif 000013
【０２６０】
例えば、ＷＵＳが、８個の情報が区分可能に設計される場合、Ｃｉｎｉｔは、互いに異なる８個の整数値を有することができる。
【０２６１】
【数１１】
0006882475.tif 000014
【０２６２】
ｂｑ（ｎ）の長さは、ＷＵＳシーケンスの長さＮと同じ値を有するように定めることができる。このとき、Ｎの長さは、参照信号（ＲＳ）の送信のためにパンクチャリング（ｐｕｎｃｔｕｒｉｎｇ）され、または重なる（ｏｖｅｒｌａｐｐｉｎｇ）ＲＥの個数を考慮せずに、ＷＵＳが使われるシンボルに全てのＲＥを含むように決まることができる。または、ｂｑ（ｎ）の長さは、ＷＵＳに使われる実際のＲＥ個数を基準にして決められる。例えば、ＮＢ−ＩｏＴにおいて、ＷＵＳに使われるＲＥの個数が合計１００個である場合、ＰＮ−シーケンスの長さも１００を満たすように定めることができる。このような例のように、ＷＵＳシーケンスの長さがＷＵＳに使われるＲＥの個数にきめられる時、ＷＵＳに使用可能なＲＥの個数が動作モードによって変わる場合、ＰＮ−シーケンスの長さは、動作モードによって決定されるように定めることができる。
【０２６３】
θｒは、以下のような数式の形態で表現されることができる。以下の数式において、Ｒは、θｒを介して表現される情報の大きさを意味し、ｒは、情報のインデックスを意味する。例えば、θｒを利用して４個の情報を区分する場合、Ｒ＝４の値を有するようになり、ｒは、０、１、２、そして３の値の中から一つを選択するように定めることができる。
【０２６４】
【数１２】
0006882475.tif 000015
【０２６５】
ｕｓは、ＺＣシーケンスのルート（ｒｏｏｔ）シーケンスインデックスを決定する値であって、任意の整数で表現されることができる。数式８において、ＮＺＣの大きさが決まる場合、ｕｓの値として使用することができる整数の個数は、合計ＮＺＣ個である。このとき、ＷＵＳにより区分しようとする情報の大きさが合計Ｓ個である場合、ＮＺＣ個の整数の中からＳ個の整数を選択してＷＵＳの用途で使用することができる。この時、選択されるＳ個のルート（ｒｏｏｔ）シーケンスインデックスは、ＺＣシーケンスのＰＡＰＲ（または、ＣＭ）を最小化する値の順序に選択されることができる。また、選択されるＳ個のルート（ｒｏｏｔ）シーケンスインデックスは、既に使われた他の目的のシーケンス性能に影響を及ぼさない、または最小化するように選択されることができる。例えば、ｎｓｙｍ＝１であり、ＮＺＣ＝１１が使われる場合、ＷＵＳのために選択されるｕｓは、５を除いて選択されるように定めることができる。これはＮＰＳＳとの区分を介してセル選択／再選択性能とＷＵＳの性能の劣化を防止するための目的である。例えば、ＷＵＳの目的として、一つのルートシーケンスインデックスが選択される場合、ｕｓ＝６を使用するように定めることができる。
【０２６６】
ＷＵＳをリソースにマッピングする方式は、周波数の１番目及び時間の２番目（ｆｒｅｑｕｅｎｃｙ  ｆｉｒｓｔ  ａｎｄ  ｔｉｍｅ  ｓｅｃｏｎｄ）方式に従うことができる。このとき、全ての参照信号（ｒｅｆｅｒｅｎｃｅ  ｓｉｇｎａｌ）用途で使われるＲＥ（ｒｅｓｏｕｒｃｅ  ｅｌｅｍｅｎｔ）位置は、パンクチャリングされるように定めることができる。例えば、ＮＢ−ＩｏＴの場合、ＣＲＳとＮＲＳ用途で使われるＲＥは、ＷＵＳがパンクチャリングされるように定めることができる。これはＷＵＳがＮＢ−ＩｏＴダウンリンクサブフレームを使用するように定めた場合、無線機器が該当サブフレームでＮＲＳが送信されることを期待することができ、ＷＵＳをサポートする構造を認知する能力がない無線機器のために後方互換性（ｂａｃｋｗａｒｄ  ｃｏｍｐａｔｉｂｉｌｉｔｙ）を保証するための目的である。
【０２６７】
ＷＵＳがリソースマッピングされた構造で一つのＷＵＳ、または繰り返し（ｒｅｐｅｔｉｔｉｏｎ）されたＷＵＳが連続されたシンボルを使用する場合、一つ以上のシンボルからなる時間単位（ｔｉｍｅ  ｕｎｉｔ）にするカバーコード（ｃｏｖｅｒ  ｃｏｄｅ）が適用されることができる。この時に使われる時間単位は、一つのシンボル、スロット、またはサブフレームであって、または一つのＷＵＳをリソースマッピングするために必要なシンボルの個数である。これは設計されたＷＵＳと類似または同じ構造を有する他の目的の信号と区分するための目的である。例えば、ＮＢ−ＩｏＴにおいて、ＮＰＳＳと類似した構造を有するＷＵＳが使われる場合、ＮＰＳＳで使用するシンボル単位のカバーコードと直交（ｏｒｔｈｏｇｏｎａｌ）し、または低い相関成分（ｌｏｗ  ｃｏｒｒｅｌａｔｉｏｎ  ｐｒｏｐｅｒｔｙ）を有するカバーコードをＷＵＳのための目的として使用するように定めることができる。または、時間単位（ｔｉｍｅ  ｕｎｉｔ）のカバーコードは、情報を表現するための目的として使われることもできる。例えば、互いに直交し、または低い相関成分を満たす複数個のカバーコードをＷＵＳを介して送信される情報を表現するための目的として使用することができる。
【０２６８】
もし、ｗａｋｅ  ｕｐ動作とｇｏ  ｔｏ  ｓｌｅｅｐ動作がシーケンスの種類に区分される場合、無線機器は、ｗａｋｅ  ｕｐに該当するシーケンスが送信された場合に対してのみ、関連されたＮＰＤＣＣＨをモニタリングするように定めることができる。このとき、ｇｏ  ｔｏ  ｓｌｅｅｐの動作に該当するシーケンスが送信される場合、信号が一つ以上のＮＰＤＣＣＨ検索空間をスキップするように（ｓｋｉｐ）するための目的として使われることができる。もし、一つのＮＰＤＣＣＨをスキップするように（ｓｋｉｐ）するための目的である場合、信号を送信しない動作を実行することができる。この場合、無線機器は、検出された信号の有無と検出された場合、適用されたシーケンスの種類によって、以後の動作を決定することができる。前記動作は、下記のような例示で表現されることができる。
【０２６９】
−Ｗａｋｅ  ｕｐシーケンスが送信される場合：無線機器は、検出した信号が指示する一つのＮＰＤＣＣＨ（または、ＮＰＤＳＣＨ）をモニタリングする動作を実行
【０２７０】
−送信される信号がない場合：無線機器は、検出を試みた信号発生（ｏｃｃａｓｉｏｎ）と関連されている一つのＮＰＤＣＣＨ（または、ＮＰＤＳＣＨ）をモニタリングせずにスキップ
【０２７１】
−Ｇｏ  ｔｏ  ｓｌｅｅｐシーケンスが送信される場合：無線機器は、検出した信号が指示する複数個のＮＰＤＣＣＨ（または、ＮＰＤＳＣＨ）、または一定期間の間のＮＰＤＣＣＨ（または、ＮＰＤＳＣＨ）をモニタリングせずにスキップする動作を実行
【０２７２】
VIII−２．第８の開示の第２の方法の案：物理チャネルベースのＷＵＳ設計方法の案
【０２７３】
本節ではＷＵＳが物理チャネル形態で生成する方法の案を提案する。ＷＵＳが物理チャネル形態で生成される場合、その形態は、ＰＤＣＣＨ（または、ＭＰＤＣＣＨ、ＮＰＤＣＣＨ）のようにＤＣＩを含むチャネルである。このとき、ＤＣＩに含まれる情報は、無線機器ＩＤ（または、無線機器のグループＩＤ）、セルＩＤ、モニタリングするＮＰＤＣＣＨ区間、時間／周波数リソース割当、ＮＤＩ（Ｎｅｗ  ｄａｔａ  ｉｎｄｉｃａｔｉｏｎ）、システム情報更新指示、そしてｗａｋｅ  ｕｐまたはｓｌｅｅｐｉｎｇ可否などである。羅列した情報は、一つのＷＵＳのためのＤＣＩに一つ以上の情報が組み合わせて表現されることができる。
【０２７４】
もし、システム情報更新を知らせる情報が含まれる場合、ＤＣＩにはＷＵＳがｗａｋｅ  ｕｐ（または、ｇｏ  ｔｏ  ｓｌｅｅｐ）のための用途か、またはシステム情報更新を知らせるための用途かを知らせるための１ビットフラグが使われることができる。例えば、１の情報は、ｗａｋｅ  ｕｐ（または、ｇｏ  ｔｏ  ｓｌｅｅｐ）の動作を指定し、０の情報は、システム情報更新の動作を指定するように定めることができる。この場合、ＤＣＩに含まれている情報は、前記フラグの情報によってそれぞれ異なる。例えば、システム情報更新を知らせるフラグが含まれる場合、ＤＣＩの残りのビットは、システム情報更新と関連した情報を知らせるための目的として使われることができる
【０２７５】
もし、ｗａｋｅ  ｕｐまたはｓｌｅｅｐｉｎｇ可否を指定する情報が含まれる場合、ＤＣＩには１ビットを利用して該当情報を表現することができる。例えば、１の情報はｗａｋｅ  ｕｐ動作を指示し、０の情報はｇｏ  ｔｏ  ｓｌｅｅｐを指示することができる。もし、該当ビットがフラグのような役割を遂行する場合、残りのビットが表現する情報は、フラグが表現するビットによって変わることができる。例えば、無線機器のグループや、ＮＰＤＣＣＨモニタリング区間を決定するビットの個数は、該当フラグによって異なるように定義されることができる。または、ｗａｋｅ  ｕｐまたはｓｌｅｅｐｉｎｇ可否を指定する情報を表現するために、ＣＲＣマスキング（ｍａｓｋｉｎｇ）を活用することができる。例えば、二つのＲＮＴＩが各々ｗａｋｅ  ｕｐとｓｌｅｅｐｉｎｇを指示するように定めることができる。このとき、ｗａｋｅ  ｕｐの情報を表現するＤＣＩとｇｏ  ｔｏ  ｓｌｅｅｐの情報を表現するＤＣＩの大きさは、互いに同一に定めることができ、各ＤＣＩのビットが意味する情報は、互いに異なる。もし、システム情報更新を知らせるフラグが存在する場合、ｗａｋｅ  ｕｐまたはｇｏ  ｔｏ  ｓｌｅｅｐを指定するフラグは、システム情報更新を知らせるフラグを読み取った以後に選択的に確認するように定めることができる。これは、もし、該当ＷＵＳがシステム情報更新を知らせるための用途で使われる場合、該当ＷＵＳを検出した無線機器は、ｗａｋｅ  ｕｐまたはｇｏ  ｔｏ  ｓｌｅｅｐの動作を選択する必要がなく、ＤＣＩの内容も変わるためである。
【０２７６】
もし、無線機器のＩＤ（または、無線機器のグループＩＤ）に対する情報が含まれる場合、ＤＣＩビット数は、区分しようとする無線機器のＩＤ（または、無線機器のグループＩＤ）の数と同じである。このとき、例えば、ビット１の情報は、ｗａｋｅ  ｕｐ（または、ｇｏ  ｔｏ  ｓｌｅｅｐ）の動作を実行するように定め、０の情報は、ｗａｋｅ  ｕｐ（または、ｇｏ  ｔｏ  ｓｌｅｅｐ）の動作を実行しないように定めることができる。例えば、該当ＷＵＳをモニタリングする無線機器をＬ個のグループに分けてｗａｋｅ  ｕｐ（または、ｇｏ  ｔｏ  ｓｌｅｅｐ）の動作可否を知らせようとする場合、各無線機器のグループを知らせるためのビットの数は合計Ｌ個である。このとき、Ｌ個のグループのうち動作を実行するように１の情報の指定を受ける無線機器のグループは、一つ以上の複数個になることもあり、一つもないこともある。区分されるグループの大きさＬの値は、ＳＩＢやＲＲＣシグナルのような上位層シグナルを介して指定されることもできる。このとき、もし、最大使用可能なＬの大きさがＬｍａｘである場合、上位層シグナルを介して指示されるＬの大きさは１〜Ｌｍａｘの値である。もし、Ｌの大きさがＬｍａｘより小さい場合、Ｌｍａｘ−Ｌ個のビットは、他の目的として使われ、または固定された値で表現されることができる。もし、ｗａｋｅ  ｕｐまたはｇｏ  ｔｏ  ｓｌｅｅｐの可否を指定するフラグが使われる場合、Ｌｍａｘ及び／またはＬの大きさは、フラグが表現する情報によって異なる。
【０２７７】
もし、ＤＣＩに含まれている情報がＮＰＤＣＣＨをモニタリングする区間を指定する場合、該当情報は、ｗａｋｅ  ｕｐ（または、ｇｏ  ｔｏ  ｓｌｅｅｐ）の命令が適用される時間に定義されることができる。このとき、モニタリングを実行する区間の大きさは、事前に指定された値であって、ＤＣＩ内で該当目的として使われるビットが表現する各組み合わせが特定区間を指示するように定めることができる。各ＤＣＩ内でＭビットが該当情報を表現するための目的として使われる場合、表現可能なモニタリング区間の大きさは、合計２Ｍ個である。このとき、Ｍの大きさは、ＳＩＢやＲＲＣシグナルのような上位層シグナルを介して指定されることもできる。このとき、もし、最大使用可能なＭの大きさがＭｍａｘである場合、上位層シグナルを介して指示されるＭの大きさは１〜Ｍｍａｘの値である。もし、Ｍの大きさがＭｍａｘより小さい場合、Ｍｍａｘ−Ｍ個のビットは、他の目的として使われ、または固定された値で表現されることができる。もし、ｗａｋｅ  ｕｐまたはｇｏ  ｔｏ  ｓｌｅｅｐの可否を指定するフラグが使われる場合、Ｍｍａｘ及び／またはＭの大きさは、フラグが表現する情報によって異なる。また、使われるビットの組み合わせで表現される情報と、これに対応されるＮＰＤＣＣＨをモニタリングする区間の大きさは、フラグが表現する情報によって異なる。
【０２７８】
もし、ＤＣＩに含まれている情報がＤＲＸサイクルを調整する場合、該当情報は、無線機器または無線機器のグループ別に動的ＤＲＸ制御を実行するための目的である。もし、Ｐ個のビットがＤＲＸサイクルを調整するための目的として使われる場合、２Ｐ個の場合のＤＲＸサイクル運用が可能である。例えば、以下の表３は、２ビットがＤＲＸサイクルを調整するための目的として使われる場合、ＤＲＸサイクルの調整に使われる定数を決定する例を示している。下記表において、ｃＤＲＸ値は、ＤＲＸサイクルを調整する定数であり、上位層パラメータを介して取得したＤＲＸ値がＴＤＲＸである場合、新しく適用されるＤＲＸ値であるＴＤＲＸ＿ｎｅｗは、ＴＤＲＸ＿ｎｅｗ＝ｃＤＲＸ＊ＴＤＲＸの関係に決められる。
【０２７９】
【表３】
0006882475.tif 000016
【０２８０】
ＮＢ−ＩｏＴにおいて、ＤＣＩを利用したＷＵＳが使われる場合、ＤＣＩビット以外にＮビットペイロード（ｐａｙｌｏａｄ）が追加されてエンコーディングされることもできる。例えば、この時に追加されるペイロードとしてＣＲＣが使われることができる。具体的に、ＮＢ−ＩｏＴでは８ビットの長さのＣＲＣが使われることができる。ＷＵＳが存在可否を知らせようとする対象となるＮＰＤＣＣＨと比較してＷＵＳに対する電力消費を減らすためにＷＵＳの構成に必要なビット数を減らすための目的である。このとき、ＣＲＣマスキングは、該当ＤＣＩがＷＵＳの目的であることを知らせるための目的としてＲＮＴＩ値が使われることができる。または、ＷＵＳが送信されるセルを区分するための目的としてセルＩＤに関連された、または基地局から設定を受けた任意のビットパターンに基づいて決められることもできる。また、他の例として、追加される負荷は、ＲＮＴＩ、またはセルを区分するための目的として使われるビット情報（例えば、セルＩＤに基づいて計算された値、または基地局から設定を受けた任意のビットパターン）が使われることができる。これはＤＣＩの長さが短い場合、不要な長さのＣＲＣが使われて全体オーバーヘッド（ｏｖｅｒｈｅａｄ）が増加することを防止する代わりに、該当ＷＵＳを必要とする無線機器または無線機器のグループに情報を伝達するための目的である。ＷＵＳが物理チャネル形態で生成される場合、ＷＵＳのＤＣＩの大きさは、ＷＵＳが存在可否を知らせようとする対象となるＮＰＤＣＣＨと同じ大きさを有するように定めることができる。このとき、対象となるＮＰＤＣＣＨとＷＵＳ用途の物理チャネルは、ＲＮＴＩを介して区分できる。また、ＷＵＳがモニタリングされる発生（ｏｃｃａｓｉｏｎ）区間は、ＷＵＳが存在可否を知らせようとする対象となるＮＰＤＣＣＨと同じ位置を共有するように定めることができる。このような方法を使用する場合、長所は、（１）ＷＵＳのための別途の検索空間を追加せずに、既存の検索空間を再使用することができ、（２）ブラインドデコーディング（ＢＤ）の増加無しで新しい物理チャネルを導入し、（３）もし、無線機器がＷＵＳをミスしても（ｍｉｓｓｉｎｇ）次の検索空間をモニタリングすることができる動作を誘導することができる。例えば、該当技法が特定無線機器または無線機器のグループに対してｇｏ  ｔｏ  ｓｌｅｅｐ動作を指定するための目的として使われる場合、ＤＣＩ情報に無線機器グループのインデックスとｇｏ  ｔｏ  ｓｌｅｅｐが進行される区間を指定する形態で使われることができ、これは動的ＤＲＸ設定をサポートするための目的として使われることができる。例えば、ＷＵＳのＤＣＩは、無線機器が今後モニタリングすべき検索空間のみを指示し、またはモニタリングしなくてもよい検索空間のみを指示することができる。これによると、既存無線機器が全ての検索空間をモニタリングすべきことに比べて電力消費が節減されることができる。また、ＷＵＳのＤＣＩは、ＤＲＸ変更を指示することができる。もし、ＷＵＳのＤＣＩを介してＤＲＸ周期が増えるように変更した場合、電力消費が節減されることができる。
【０２８１】
VIII−３．第８の開示の第３の方法の案：２ステップ（ｔｗｏ  ｓｔｅｐ）のＷＵＳ
【０２８２】
本節では物理信号と物理チャネルを組み合わせて２ステップのｗａｋｅ  ｕｐ（または、ｇｏ  ｔｏ  ｓｌｅｅｐ）をサポートする方法の案を説明する。
【０２８３】
２ステップのｗａｋｅ  ｕｐ（または、ｇｏ  ｔｏ  ｓｌｅｅｐ）手順で、物理チャネルは、ｗａｋｅ  ｕｐ（または、ｇｏ  ｔｏ  ｓｌｅｅｐ）と関連した情報があるかどうかを知らせるための目的として使われることができる。もし、無線機器が自分に該当する物理信号を検出した場合、次のステップにＷＵＳと関連した物理チャネルをモニタリングするように定めることができる。このとき、物理信号は、第８の開示の第１の方法の案で記述された方法の案と情報の内容を使用することができる。このとき、物理信号をモニタリングする過程で発生する電力消費や遅延を減らし、正確性を高めるために物理信号を介して送信される情報は最小化されることができ、特徴的な例として、該当情報は、物理チャネルの送信可否を知らせる１ビット指示情報のみが使われることができる。また、該当物理信号を介して表現される情報にはｗａｋｅ  ｕｐとｇｏ  ｔｏ  ｓｌｅｅｐの動作を区分する情報が含まれることができる。このとき、もし、物理信号に使われるシーケンスが一つ以上である場合、各シーケンスは、無線機器グループ、またはセルＩＤを表現するための目的として区分されて使われることもできる。
【０２８４】
２ステップのｗａｋｅ  ｕｐ（または、ｇｏ  ｔｏ  ｓｌｅｅｐ）手順で、物理チャネルは、ｗａｋｅ  ｕｐ（または、ｇｏ  ｔｏ  ｓｌｅｅｐ）と関連した細部情報を知らせるための目的として使われることができる。例えば、該当物理チャネルの生成は、第８の開示の第２の方法の案で言及された方法を使用することができる。
【０２８５】
または、組み合わせて２ステップのｗａｋｅ  ｕｐ（または、ｇｏ  ｔｏ  ｓｌｅｅｐ）の構造は、二つの物理信号の組み合わせで構成されることができる。例えば、１番目の物理信号は、ダウンリンク時間同期を提供するための目的であり、２番目の物理信号は、情報を送信するための目的である。具体的な例として、１番目の物理信号は、ＰＳＳ（または、ＮＰＳＳ）の変形された形態であり、２番目の物理信号は、ＳＳＳ（または、ＮＳＳＳ）の変形された形態である。
【０２８６】
１番目の物理信号は、提供する情報無しで常に送信されるように定めることができる。これは実際にｗａｋｅ  ｕｐ動作の指示がなくてもダウンリンク同期の動作を常にサポートするための目的である。
【０２８７】
または、１番目の物理信号は、ｗａｋｅ  ｕｐまたはｇｏ  ｔｏ  ｓｌｅｅｐの情報を提供することができる。これは信号がある場合、ｗａｋｅ  ｕｐを知らせてＤＴＸの方式を利用してｇｏ  ｔｏ  ｓｌｅｅｐを知らせ、または互いに異なるシーケンス構成方式を利用してｗａｋｅ  ｕｐとｇｏ  ｔｏ  ｓｌｅｅｐを区分することもできる。
【０２８８】
１番目の物理信号は、セルＩＤにより区分されるシーケンスで表現されることができる。これは隣接セルで送信される物理信号による誤動作を防止するための目的である。
【０２８９】
２番目の物理信号が提供する情報は、セルＩＤ、無線機器（または、グループ）ＩＤ、及び／または指示するＮＰＤＣＣＨ発生（ｏｃｃａｓｉｏｎ）区間に対する情報である。ＮＰＤＣＣＨモニタリング区間に対する情報は、ＮＰＤＣＣＨが設定された位置、個数、または周期などの情報である。
【０２９０】
２ステップのｗａｋｅ  ｕｐ（または、ｇｏ  ｔｏ  ｓｌｅｅｐ）を構成する二つの物理信号は、各々が別途にイネーブル／ディセーブルされることができる。例えば、ＳＩＢやＲＲＣシグナルのような上位層シグナルを介して各々１ビット指示を介した動作可否が決定されることができる。端末は、基地局から受信した物理信号の情報を介してダウンリンク時間同期の取得方式と物理信号を介して伝達を受ける情報の種類と量を判断することができる。
【０２９１】
VIII−４．第８の開示の第４の方法の案：サブフレームインデックス取得
【０２９２】
ダウンリンク時間同期を取得することができる物理信号が使われる場合、時間遅延（ｄｒｉｆｔ）が１ｍｓ以上発生する場合、端末が推定するサブフレームインデックスと実際のサブフレームインデックスが互いに異なる。これを防止するために、カバーコードのパターンを使用してサブフレームインデックスに対する情報、または物理信号が始まって終わる位置に対する情報を提供することができる。このとき、カバーコードは、物理信号が繰り返し（ｒｅｐｅｔｉｔｉｏｎ）される単位に適用されることができる。例えば、サブフレーム単位の物理信号が適用される場合、カバーコードは、サブフレームレベルで適用されることができる。これは物理信号の検出複雑度を低くして、シーケンスの特性を維持するための目的である。
【０２９３】
適用されるカバーコードは、物理信号の開始サブフレームから、初期化されるように定めることができる。または、サブフレームインデックスから発生されるランダム（ｒａｎｄｏｍ）数字でカバーコードを発生させることもできる。
【０２９４】
前記で例示的に説明した内容で、方法の案は、一連のステップまたはブロックで説明されているが、本明細書の開示は、このようなステップの順序にのみ限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【０２９５】
以上で説明した、本発明の実施例は、多様な手段を介して具体的に実現されることができる。例えば、本発明の実施例は、ハードウェア、ファームウェア（ｆｉｒｍｗａｒｅ）、ソフトウェアまたはそれらの結合などにより具体的に実現されることができる。具体的には図面を参照して説明する。
【０２９６】
図１９は、本明細書の開示が具体的に実現される無線機器及び基地局を示すブロック図である。
【０２９７】
図１９を参照すると、無線機器１００及び基地局２００は、本明細書の開示を具体的に実現することができる。
【０２９８】
図示された無線機器１００は、プロセッサ１０１、メモリ１０２、及びトランシーバ１０３を含む。同様に、図示された基地局２００は、プロセッサ２０１、メモリ２０２、及びトランシーバ２０３を含む。図示されたプロセッサ１０１、２０１、メモリ１０２、２０２、及びトランシーバ１０３、２０３は、各々、別途のチップで具体的に実現され、または少なくとも二つ以上のブロック／機能が一つのチップを介して具体的に実現されることができる。
【０２９９】
前記トランシーバ１０３、２０３は、送信機（ｔｒａｎｓｍｉｔｔｅｒ）及び受信機（ｒｅｃｅｉｖｅｒ）を含む。特定の動作が実行される場合、送信機及び受信機のうちいずれか一つの動作のみが実行され、または送信機及び受信機の動作が両方とも実行されることができる。前記トランシーバ１０３、２０３は、無線信号を送信及び／または受信する一つ以上のアンテナを含むことができる。また、前記トランシーバ１０３、２０３は、受信信号及び／または送信信号の増幅のための増幅器と、特定の周波数帯域上への送信のためのバンドパスフィルタと、を含むことができる。
【０３００】
前記プロセッサ１０１、２０１は、本明細書で提案された機能、過程及び／または方法を具体的に実現することができる。前記プロセッサ１０１、２０１は、エンコーダとデコーダを含むことができる。例えば、プロセッサ１０１、２０２は、前述した内容による動作を実行することができる。このようなプロセッサ１０１、２０１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。
【０３０１】
メモリ１０２、２０２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。
【０３０２】
図２０は、図１９に示す無線機器のトランシーバの詳細ブロック図である。
【０３０３】
図２０を参照すると、トランシーバ１１０は、送信機１１１と受信機１１２を含む。前記送信機１１１は、ＤＦＴ（Ｄｉｓｃｒｅｔｅ  Ｆｏｕｒｉｅｒ  Ｔｒａｎｓｆｏｒｍ）部１１１１、副搬送波マッパ１１１２、ＩＦＦＴ部１１１３、及びＣＰ挿入部１１１４、無線送信部１１１５を含む。前記送信機１１１は、変調器（ｍｏｄｕｌａｔｏｒ）をさらに含むことができる。また、例えば、スクランブルユニット（図示せず；ｓｃｒａｍｂｌｅ  ｕｎｉｔ）、モジュレーションマッパ（図示せず；ｍｏｄｕｌａｔｉｏｎ  ｍａｐｐｅｒ）、レイヤマッパ（図示せず；ｌａｙｅｒ  ｍａｐｐｅｒ）、及びレイヤパーミュテータ（図示せず；ｌａｙｅｒ  ｐｅｒｍｕｔａｔｏｒ）をさらに含むことができ、これは前記ＤＦＴ部１１１１の前に配置されることができる。即ち、ＰＡＰＲ（ｐｅａｋ−ｔｏ−ａｖｅｒａｇｅ  ｐｏｗｅｒ  ｒａｔｉｏ）の増加を防止するために、前記送信機１１１は、副搬送波に信号をマッピングする以前に情報をＤＦＴ部１１１１を経るようにする。ＤＦＴ部１１１１により拡散（ｓｐｒｅａｄｉｎｇ）（または、同じ意味でプリコーディング）された信号を副搬送波マッパ１１１２を介して副搬送波マッピングをした後、再びＩＦＦＴ（Ｉｎｖｅｒｓｅ  Ｆａｓｔ  Ｆｏｕｒｉｅｒ  Ｔｒａｎｓｆｏｒｍ）部１１１３を経て時間軸上の信号で作る。
【０３０４】
ＤＦＴ部１１１１は、入力されるシンボルにＤＦＴを実行して複素数シンボル（ｃｏｍｐｌｅｘ−ｖａｌｕｅｄ  ｓｙｍｂｏｌ）を出力する。例えば、Ｎｔｘシンボルが入力される場合（ただし、Ｎｔｘは自然数）、ＤＦＴの大きさ（ｓｉｚｅ）はＮｔｘである。ＤＦＴ部１１１１は、変換プリコーダ（ｔｒａｎｓｆｏｒｍ  ｐｒｅｃｏｄｅｒ）とも呼ばれる。副搬送波マッパ１１１２は、前記複素数シンボルを周波数領域の各副搬送波にマッピングさせる。前記複素数シンボルは、データ送信のために割り当てられたリソースブロックに対応するリソース要素にマッピングされることができる。副搬送波マッパ１１１２は、リソースマッパ（ｒｅｓｏｕｒｃｅ  ｅｌｅｍｅｎｔ  ｍａｐｐｅｒ）とも呼ばれる。ＩＦＦＴ部１１１３は、入力されるシンボルに対してＩＦＦＴを実行して時間領域信号であるデータのための基本帯域（ｂａｓｅｂａｎｄ）信号を出力する。ＣＰ挿入部１１１４は、データのための基本帯域信号の後部分の一部を複写してデータのための基本帯域信号の前部分に挿入する。ＣＰ挿入を介してＩＳＩ（Ｉｎｔｅｒ−Ｓｙｍｂｏｌ  Ｉｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止されて多重経路チャネルでも直交性が維持されることができる。
【０３０５】
他方、受信機１１２は、無線受信部１１２１、ＣＰ除去部１１２２、ＦＦＴ部１１２３、及び等化部１１２４などを含む。前記受信機１１２の無線受信部１１２１、ＣＰ除去部１１２２、ＦＦＴ部１１２３は、前記送信機１１１での無線送信部１１１５、ＣＰ挿入部１１１４、ＩＦＦ部１１１３の逆機能を実行する。前記受信機１１２は、復調器（ｄｅｍｏｄｕｌａｔｏｒ）をさらに含むことができる。
【図１】
0006882475.tif 000017
【図２】
0006882475.tif 000018
【図３】
0006882475.tif 000019
【図４】
0006882475.tif 000020
【図５ａ】
0006882475.tif 000021
【図５ｂ】
0006882475.tif 000022
【図５ｃ】
0006882475.tif 000023
【図６ａ】
0006882475.tif 000024
【図６ｂ】
0006882475.tif 000025
【図７】
0006882475.tif 000026
【図８】
0006882475.tif 000027
【図９】
0006882475.tif 000028
【図１０ａ】
0006882475.tif 000029
【図１０ｂ】
0006882475.tif 000030
【図１１】
0006882475.tif 000031
【図１２ａ】
0006882475.tif 000032
【図１２ｂ】
0006882475.tif 000033
【図１３】
0006882475.tif 000034
【図１４】
0006882475.tif 000035
【図１５】
0006882475.tif 000036
【図１６】
0006882475.tif 000037
【図１７】
0006882475.tif 000038
【図１８】
0006882475.tif 000039
【図１９】
0006882475.tif 000040
【図２０】
0006882475.tif 000041